(57)【要約】【課題】  入賞図柄以外の図柄の配置位置や個数が制限されることがなく、目押し操作が行い易い回胴式遊技機を実現する。【解決手段】  リール上の図柄は、欠落部Ｚｂと非欠落部Ｚａとを組み合わせて構成される。リール上に配置された補助図柄表示体３０は、窓部３０ａと隠蔽部３０ｄとを備える。隠蔽部３０ｄは、図柄の欠落部Ｚｂおよび非欠落部Ｚａの形成箇所と対応する打抜き部３０ｂと非打抜き部３０ｃとを組み合わせて構成される。リール停止時は、隠蔽部３０ｄの各打抜き部を介して図柄の非欠落部Ｚａが露出するため、図柄を認識することができる。リール回転中は、補助図柄表示体３０が打抜き部の幅分移動し、各打抜き部から欠落部が露出するため図柄が消え、隠蔽部３０ｄの周囲はリール上の図柄周囲と同色になるため、窓部３０ａから露出した特定図柄Ｚ１の前後が白色領域となるので目立つ。【選択図】  図５
2007111303.tif 000002
【特許請求の範囲】
【請求項１】
複数種類の図柄が外周面に沿って表示されたリールと、
リールを回転させる回転駆動手段と、
回転するリールの外周面を遊技者に表示するとともに、リールの回転が停止したときに複数の停止図柄を表示する表示窓と、
遊技者の操作により、前記回転駆動手段を駆動してリールを回転させる回転開始手段と、
リールの回転が停止したときに前記表示窓に表示されている停止図柄が所定の図柄である場合に所定数の賞媒体を払出す払出手段とを備えた回胴式遊技機において、
図柄の所定箇所を間引いて構成された図柄であって、間引かれて欠落した部分である欠落部と、欠落していない部分である非欠落部とを組み合わせて構成された特殊図柄が、前記リールの外周面に表示された図柄のうち、特定図柄に隣接して配置されており、
前記特殊図柄の上方を覆ったときに、前記非欠落部または前記欠落部を内側に表示可能な打抜き部と、この打抜き部が形成されていない部分である非打抜き部とを組み合わせて構成されており、前記打抜き部の内側に前記非欠落部が表示されている場合は、前記非打抜き部の内側に前記欠落部が隠れ、かつ、前記打抜き部の内側に前記欠落部が表示されている場合は、前記非打抜き部の内側に前記非欠落部が隠れるように構成された隠蔽部を有する補助図柄表示体と、
この補助図柄表示体を、前記リールの回転が停止しているときは、前記特殊図柄を覆うとともに前記非欠落部が前記打抜き部の内側に表示されるように支持し、かつ、前記リールが回転を開始するときは、慣性力によって前記リールの回転方向と相対的に逆方向へ移動させるとともに前記欠落部が前記打抜き部の内側に表示されるように支持し、さらに前記リールの回転中は前記移動した状態で前記リールと共に回転させ、前記リールの回転が停止したときは前記移動をする前の位置に復帰させる支持手段と、
前記リールの回転方向と逆方向へ移動した前記補助図柄表示体が、前記欠落部が前記打抜き部の内側に表示された位置で停止するように前記補助図柄表示体の移動範囲を規制する規制手段と、
を備えたことを特徴とする回胴式遊技機。
【請求項２】
前記補助図柄表示体は、前記隠蔽部が前記特殊図柄を覆った状態のときに前記特定図柄を内側に表示可能な窓部を備えたことを特徴とする請求項１に記載の回胴式遊技機。
【請求項３】
前記リールの外周面には、前記特殊図柄が前記特定図柄を挟んでそれぞれ表示されており、
前記補助図柄表示体は、前記各特殊図柄に対応する前記隠蔽部を前記窓部を挟んでそれぞれ有することを特徴とする請求項２に記載の回胴式遊技機。
【請求項４】
前記リールの外周面には、前記特殊図柄が前記特定図柄に隣接する位置から連続して複数表示されており、
前記補助図柄表示体は、前記複数の特殊図柄に対応する前記隠蔽部を連続して複数有することを特徴とする請求項１ないし請求項３のいずれか１つに記載の回胴式遊技機。
【請求項５】
複数種類の図柄が外周面に沿って表示されたリールと、
リールを回転させる回転駆動手段と、
回転するリールの外周面を遊技者に表示するとともに、リールの回転が停止したときに複数の停止図柄を表示する表示窓と、
遊技者の操作により、前記回転駆動手段を駆動してリールを回転させる回転開始手段と、
リールの回転が停止したときに前記表示窓に表示されている停止図柄が所定の図柄である場合に所定数の賞媒体を払出す払出手段とを備えた回胴式遊技機において、
前記リールの外周面に表示された図柄のうち、特定図柄が、自身の所定箇所を間引くことにより欠落した部分である欠落部と、欠落していない部分である非欠落部とを組み合わせて構成されており、
前記特定図柄の上方を覆ったときに、前記非欠落部または前記欠落部を内側に表示可能な打抜き部と、この打抜き部が形成されていない部分である非打抜き部とを組み合わせて構成されており、前記打抜き部の内側に前記非欠落部が表示されている場合は、前記非打抜き部の内側に前記欠落部が隠れ、かつ、前記打抜き部の内側に前記欠落部が表示されている場合は、前記非打抜き部の内側に前記非欠落部が隠れるように構成された隠蔽部を有する補助図柄表示体と、
この補助図柄表示体を、前記リールの回転が停止しているときは、前記特定図柄を覆うとともに前記非欠落部が前記打抜き部の内側に表示されるように支持し、かつ、前記リールが回転を開始するときは、慣性力によって前記リールの回転方向と相対的に逆方向へ移動させるとともに前記欠落部が前記打抜き部の内側に表示されるように支持し、さらに前記リールの回転中は前記移動した状態で前記リールと共に回転させ、前記リールの回転が停止したときは前記移動をする前の位置に復帰させる支持手段と、
前記リールの回転方向と逆方向へ移動した前記補助図柄表示体が、前記欠落部が前記打抜き部の内側に表示された位置で停止するように前記補助図柄表示体の移動範囲を規制する規制手段と、
を備えたことを特徴とする回胴式遊技機。
【請求項６】
前記リールの外周面には、前記欠落部および非欠落部を組み合わせて構成された前記特定図柄が連続して複数表示されており、
前記補助図柄表示体は、前記各特定図柄に対応する前記隠蔽部を連続して複数有することを特徴とする請求項５に記載の回胴式遊技機。
【請求項７】
前記欠落部および前記非打抜き部は、同一色で表示されていることを特徴とする請求項１ないし請求項６のいずれか１つに記載の回胴式遊技機。
【請求項８】
複数種類の図柄が外周面に沿って表示されたリールと、
リールを回転させる回転駆動手段と、
回転するリールの外周面を遊技者に表示するとともに、リールの回転が停止したときに複数の停止図柄を表示する表示窓と、
遊技者の操作により、前記回転駆動手段を駆動してリールを回転させる回転開始手段と、
リールの回転が停止したときに前記表示窓に表示されている停止図柄が所定の図柄である場合に所定数の賞媒体を払出す払出手段とを備えた回胴式遊技機において、
前記リールの外周面のうち、特定図柄と隣接する部分に開口形成された窓と、
前記特定図柄以外の図柄と同一の図柄が補助図柄として、前記図柄が表示されていない領域が非図柄領域として、前記リールの外周面に表示された図柄の配置方向に沿ってそれぞれ表示された補助図柄表示体と、
この補助図柄表示体を、前記リールの回転が停止しているときは、前記補助図柄が前記窓の内側に表示される位置に配置されるとともに前記非図柄領域が前記リールの裏面に隠れるように支持し、かつ、前記リールが回転を開始するときは、慣性力によって前記リールの回転方向と相対的に逆方向へ移動させることにより前記非図柄領域が前記窓の内側に表示されるとともに前記補助図柄が前記リールの裏面に隠れるように支持し、さらに、前記リールの回転中は前記移動した状態で前記リールと共に回転させ、前記リールの回転が停止したときは前記移動をする前の位置に復帰させる支持手段と、
前記リールの回転方向と逆方向へ移動した前記補助図柄表示体が、前記非図柄領域を前記窓の内側に表示した位置で停止するように前記補助図柄表示体の移動範囲を規制する規制手段と、
を備えたことを特徴とする回胴式遊技機。
【請求項９】
前記リールの外周面には、前記窓が前記特定図柄を挟んでそれぞれ形成されており、
前記補助図柄表示体には、前記各窓に対応する前記補助図柄および非図柄領域がそれぞれ表示されていることを特徴とする請求項８に記載の回胴式遊技機。
【請求項１０】
前記リールの外周面には、前記窓が連続して複数形成されており、
前記補助図柄表示体には、前記各窓に対応する前記補助図柄および非図柄領域がそれぞれ表示されていることを特徴とする請求項８または請求項９に記載の回胴式遊技機。
【請求項１１】
複数種類の図柄が外周面に沿って表示されたリールと、
リールを回転させる回転駆動手段と、
回転するリールの外周面を遊技者に表示するとともに、リールの回転が停止したときに複数の停止図柄を表示する表示窓と、
遊技者の操作により、前記回転駆動手段を駆動してリールを回転させる回転開始手段と、
リールの回転が停止したときに前記表示窓に表示されている停止図柄が所定の図柄である場合に所定数の賞媒体を払出す払出手段とを備えた回胴式遊技機において、
前記リールの外周面のうち、特定図柄を表示すべき部分に開口形成された窓と、
前記特定図柄と同一の図柄が補助図柄として、前記図柄、特定図柄および補助図柄のいずれも表示されていない領域が非図柄領域として、前記リールの外周面に表示された図柄の配置方向に沿ってそれぞれ表示された補助図柄表示体と、
この補助図柄表示体を、前記リールの回転が停止しているときは、前記補助図柄が前記窓の内側に表示されるとともに前記非図柄領域が前記リールの裏面に隠れるように支持し、かつ、前記リールが回転を開始するときは、慣性力によって前記リールの回転方向と相対的に逆方向へ移動させることにより前記非図柄領域が前記窓の内側に表示されるとともに前記補助図柄が前記リールの裏面に隠れるように支持し、さらに、前記リールの回転中は前記移動した状態で前記リールと共に回転させ、前記リールの回転が停止したときは前記移動をする前の位置に復帰させる支持手段と、
前記リールの回転方向と逆方向へ移動した前記補助図柄表示体が、前記非図柄領域を前記窓の内側に表示した位置で停止するように前記補助図柄表示体の移動範囲を規制する規制手段と、
を備えたことを特徴とする回胴式遊技機。
【請求項１２】
前記リールの外周面には、前記窓が連続して複数形成されており、
前記補助図柄表示体には、前記各窓に対応する前記補助図柄および非図柄領域がそれぞれ表示されていることを特徴とする請求項１１に記載の回胴式遊技機。
【請求項１３】
複数種類の図柄が外周面に沿って表示されたリールと、
リールを回転させる回転駆動手段と、
回転するリールの外周面を遊技者に表示するとともに、リールの回転が停止したときに複数の停止図柄を表示する表示窓と、
遊技者の操作により、前記回転駆動手段を駆動してリールを回転させる回転開始手段と、
リールの回転が停止したときに前記表示窓に表示されている停止図柄が所定の図柄である場合に所定数の賞媒体を払出す払出手段とを備えた回胴式遊技機において、
前記リールの外周面のうち、特定図柄を表示すべき部分には、前記図柄および特定図柄のいずれも表示されていない領域が非図柄領域として形成されており、
前記リールの外周面に表示された図柄のうち、前記特定図柄と同一の図柄が補助図柄として表示された補助図柄表示体と、
この補助図柄表示体を、前記リールの回転が停止しているときは、前記補助図柄が前記非図柄領域を覆うように支持し、かつ、前記リールが回転を開始するときは、慣性力によって前記リールの回転方向と相対的に逆方向へ移動させるとともに前記補助図柄が前記特定図柄に隣接する図柄を覆うとともに前記非図柄領域が露出するように支持し、さらに、前記リールの回転中は前記移動した状態で前記リールと共に回転させ、前記リールの回転が停止したときは前記移動をする前の位置に復帰させる支持手段と、
前記リールの回転方向と逆方向へ移動した前記補助図柄表示体が、前記非図柄領域を露出した位置で停止するように前記補助図柄表示体の移動範囲を規制する規制手段と、
を備えたことを特徴とする回胴式遊技機。
【請求項１４】
前記リールの外周面には、前記非図柄領域が連続して複数形成されており、
前記補助図柄表示体には、前記各非図柄領域に対応する前記補助図柄が表示されていることを特徴とする請求項１３に記載の回胴式遊技機。
【請求項１５】
前記支持手段は、
前記リールの回転軸に取付けられた回動中心部と、
この回動中心部と前記補助図柄表示体とを接続する接続部とを備えたことを特徴とする請求項１ないし請求項１４のいずれか１つに記載の回胴式遊技機。
【請求項１６】
前記支持手段は、
前記リールの回転が停止したときは、前記補助図柄表示体を前記移動をする前の位置に自重によって復帰させるように構成されていることを特徴とする請求項１ないし請求項１５のいずれか１つに記載の回胴式遊技機。
【請求項１７】
前記規制手段は、
前記リールの回転が停止したときに、前記移動した前記補助図柄表示体を移動前の位置へ復帰させるバネを備えたことを特徴とする請求項１ないし請求項１５のいずれか１つに記載の回胴式遊技機。
【請求項１８】
前記補助図柄表示体は、前記リールの回転停止時に、慣性力および前記バネのバネ力によって前記リールの回転方向と相対的に逆方向への移動および回転方向への移動を行った後に移動前の位置へ復帰することを特徴とする請求項１７に記載の回胴式遊技機。
【請求項１９】
前記規制手段は、
前記リールの回転が停止したときに、前記移動した前記補助図柄表示体をそれぞれ移動前の位置へ復帰させる錘を備えたことを特徴とする請求項１ないし請求項１５のいずれか１つに記載の回胴式遊技機。
【請求項２０】
前記補助図柄表示体が複数配置されたことを特徴とする請求項１７ないし請求項１９のいずれか１つに記載の回胴式遊技機。
【請求項２１】
前記リールは、前記回転軸とリール本体とを連結する連結部を備えており、
前記規制手段は、
前記接続部の所定個所に形成された突起部と、
前記連結部に形成されており、前記突起部の移動範囲を規制する規制部とを備えており、前記規制部によって前記突起部の移動範囲を規制することにより前記補助図柄表示体の移動範囲を規制するように構成されていることを特徴とする請求項１５ないし請求項２０のいずれか１つに記載の回胴式遊技機。
【発明の詳細な説明】
【技術分野】
【０００１】
この発明は、スロットマシンなどに代表される回胴式遊技機に関する。
【背景技術】
【０００２】
従来、回胴式遊技機では、リールの回転を開始させる始動レバーを操作したときに抽選が実行され、その抽選結果が所定の入賞役の当りであった場合は、停止スイッチを押すことにより、その入賞役を構成する図柄（以下、入賞図柄という）が入賞ライン上に停止した場合にメダルなどの賞媒体が払出される。
また、抽選結果が当りであった場合は、入賞図柄が入賞ラインに到達する前の数図柄分（例えば４図柄分）の範囲内で停止スイッチを押すと、その入賞図柄が所定の入賞ライン上に停止するようにリールの回転量を制御する、いわゆる引き込み制御が行われる。
この引き込み制御が実行されるタイミングで停止スイッチを押すことを目押し操作と呼ばれているが、初心者にとっては目押し操作をするタイミングを掴むことができないため、入賞図柄を入賞ラインに揃えることが困難だった。
そこで、１つのリールに複数の入賞図柄を連続して表示することにより、初心者でも目押し操作を行い易い回胴式遊技機が提案されている（特許文献１）。
【０００３】
【特許文献１】特開２００４−１０５７７７号公報（第２３段落、図１）
【発明の開示】
【発明が解決しようとする課題】
【０００４】
しかし、前記従来の回胴式遊技機は、１つのリールに複数の入賞図柄を連続して表示しているため、他の図柄の配置位置や個数が制限されてしまうという問題がある。
【０００５】
そこでこの発明は、上述の諸問題を解決するためになされたものであり、入賞図柄以外の図柄の配置位置や個数が制限されることがなく、目押し操作が行い易い回胴式遊技機を実現することを目的とする。
【課題を解決するための手段】
【０００６】
この発明は、上記目的を達成するため、請求項１に記載の発明では、複数種類の図柄（Ｚ，Ｚ１）が外周面に沿って表示されたリール（１２，１３，１４）と、リールを回転させる回転駆動手段（７０）と、回転するリールの外周面を遊技者に表示するとともに、リールの回転が停止したときに複数の停止図柄を表示する表示窓（１２ａ，１３ａ，１４ａ）と、遊技者の操作により、前記回転駆動手段を駆動してリールを回転させる回転開始手段（２５）と、リールの回転が停止したときに前記表示窓に表示されている停止図柄が所定の図柄である場合に所定数の賞媒体を払出す払出手段とを備えた回胴式遊技機（１０）において、図柄の所定箇所を間引いて構成された図柄であって、間引かれて欠落した部分である欠落部（Ｚｂ）と、欠落していない部分である非欠落部（Ｚａ）とを組み合わせて構成された特殊図柄が、前記リールの外周面に表示された図柄のうち、特定図柄（Ｚ１）に隣接して配置されており、前記特殊図柄の上方を覆ったときに、前記非欠落部または前記欠落部を内側に表示可能な打抜き部（３０ｂ）と、この打抜き部が形成されていない部分である非打抜き部（３０ｃ）とを組み合わせて構成されており、前記打抜き部の内側に前記非欠落部が表示されている場合は、前記非打抜き部の内側に前記欠落部が隠れ、かつ、前記打抜き部の内側に前記欠落部が表示されている場合は、前記非打抜き部の内側に前記非欠落部が隠れるように構成された隠蔽部（３０ｄ）を有する補助図柄表示体（３０）と、この補助図柄表示体を、前記リールの回転が停止しているときは、前記特殊図柄を覆うとともに前記非欠落部が前記打抜き部の内側に表示されるように支持し、かつ、前記リールが回転を開始するときは、慣性力によって前記リールの回転方向と相対的に逆方向へ移動させるとともに前記欠落部が前記打抜き部の内側に表示されるように支持し、さらに前記リールの回転中は前記移動した状態で前記リールと共に回転させ、前記リールの回転が停止したときは前記移動をする前の位置に復帰させる支持手段（３１，３３，３３ａ，４３）と、前記リールの回転方向と逆方向へ移動した前記補助図柄表示体が、前記欠落部が前記打抜き部の内側に表示された位置で停止するように前記補助図柄表示体の移動範囲を規制する規制手段（３４，４２）と、を備えたという技術的手段を用いる。
なお、後述する第１実施形態の回胴式遊技機１０が、請求項１に係る発明の一例である。
【０００７】
請求項２に記載の発明では、請求項１に記載の回胴式遊技機（１０）において、前記補助図柄表示体（３０）は、前記隠蔽部（３０ｄ）が前記特殊図柄を覆った状態のときに前記特定図柄（Ｚ１）を内側に表示可能な窓部（３０ａ）を備えたという技術的手段を用いる。
なお、後述する第１実施形態の回胴式遊技機１０が、請求項２に係る発明の一例である。
【０００８】
請求項３に記載の発明では、請求項２に記載の回胴式遊技機（１０）において、前記リール（１２，１３，１４）の外周面には、前記特殊図柄が前記特定図柄（Ｚ１）を挟んでそれぞれ表示されており、前記補助図柄表示体（３０）は、前記各特殊図柄に対応する前記隠蔽部（３０ｄ）を前記窓部（３０ａ）を挟んでそれぞれ有するという技術的手段を用いる。
なお、後述する第１実施形態の回胴式遊技機１０が、請求項３に係る発明の一例である。
【０００９】
請求項４に記載の発明では、請求項１ないし請求項３のいずれか１つに記載の回胴式遊技機（１０）において、前記リール（１２，１３，１４）の外周面には、前記特殊図柄が前記特定図柄（Ｚ１）に隣接する位置から連続して複数表示されており、前記補助図柄表示体（３０）は、前記複数の特殊図柄に対応する前記隠蔽部（３０ｄ）を連続して複数有するという技術的手段を用いる。
なお、後述する第１実施形態の第１変更例の回胴式遊技機１０が、請求項４に係る発明の一例である。
【００１０】
請求項５に記載の発明では、複数種類の図柄（Ｚ、Ｚ１）が外周面に沿って表示されたリール（１２，１３，１４）と、リールを回転させる回転駆動手段（７０）と、回転するリールの外周面を遊技者に表示するとともに、リールの回転が停止したときに複数の停止図柄を表示する表示窓（１２ａ，１３ａ，１４ａ）と、遊技者の操作により、前記回転駆動手段を駆動してリールを回転させる回転開始手段（２５）と、リールの回転が停止したときに前記表示窓に表示されている停止図柄が所定の図柄である場合に所定数の賞媒体を払出す払出手段とを備えた回胴式遊技機（１０）において、前記リールの外周面に表示された図柄のうち、特定図柄（Ｚ１）が、自身の所定箇所を間引くことにより欠落した部分である欠落部（Ｚｂ）と、欠落していない部分である非欠落部（Ｚａ）とを組み合わせて構成されており、前記特定図柄の上方を覆ったときに、前記非欠落部または前記欠落部を内側に表示可能な打抜き部（３０ｂ）と、この打抜き部が形成されていない部分である非打抜き部（３０ｃ）とを組み合わせて構成されており、前記打抜き部の内側に前記非欠落部が表示されている場合は、前記非打抜き部の内側に前記欠落部が隠れ、かつ、前記打抜き部の内側に前記欠落部が表示されている場合は、前記非打抜き部の内側に前記非欠落部が隠れるように構成された隠蔽部（３０ｄ）を有する補助図柄表示体（５０）と、この補助図柄表示体を、前記リールの回転が停止しているときは、前記特定図柄を覆うとともに前記非欠落部が前記打抜き部の内側に表示されるように支持し、かつ、前記リールが回転を開始するときは、慣性力によって前記リールの回転方向と相対的に逆方向へ移動させるとともに前記欠落部が前記打抜き部の内側に表示されるように支持し、さらに前記リールの回転中は前記移動した状態で前記リールと共に回転させ、前記リールの回転が停止したときは前記移動をする前の位置に復帰させる支持手段（３１，３３，３３ａ，４３）と、前記リールの回転方向と逆方向へ移動した前記補助図柄表示体が、前記欠落部が前記打抜き部の内側に表示された位置で停止するように前記補助図柄表示体の移動範囲を規制する規制手段（３４，４２）と、を備えたという技術的手段を用いる。
なお、後述する第１実施形態の第２変更例の回胴式遊技機１０が、請求項５に係る発明の一例である。
【００１１】
請求項６に記載の発明では、請求項５に記載の回胴式遊技機（１０）において、前記リールの外周面には、前記欠落部および非欠落部を組み合わせて構成された前記特定図柄（Ｚ１）が連続して複数表示されており、前記補助図柄表示体（５０）は、前記各特定図柄に対応する前記隠蔽部（３０ｄ）を連続して複数有するという技術的手段を用いる。
【００１２】
請求項７に記載の発明では、請求項１ないし請求項６のいずれか１つに記載の回胴式遊技機（１０）において、前記欠落部（Ｚｂ）および前記非打抜き部（３０ｃ）は、同一色で表示されているという技術的手段を用いる。
なお、後述する第１実施形態の回胴式遊技機１０が、請求項７に係る発明の一例である。
【００１３】
請求項８に記載の発明では、複数種類の図柄（Ｚ、Ｚ１）が外周面に沿って表示されたリール（１２，１３，１４）と、リールを回転させる回転駆動手段（７０）と、回転するリールの外周面を遊技者に表示するとともに、リールの回転が停止したときに複数の停止図柄を表示する表示窓（１２ａ，１３ａ，１４ａ）と、遊技者の操作により、前記回転駆動手段を駆動してリールを回転させる回転開始手段（２５）と、リールの回転が停止したときに前記表示窓に表示されている停止図柄が所定の図柄である場合に所定数の賞媒体を払出す払出手段とを備えた回胴式遊技機（１０）において、前記リールの外周面のうち、特定図柄（Ｚ１）と隣接する部分に開口形成された窓（１２ｃ，１３ｃ，１４ｃ）と、前記特定図柄以外の図柄と同一の図柄が補助図柄（Ｚ３）として、前記図柄が表示されていない領域が非図柄領域（８５）として、前記リールの外周面に表示された図柄の配置方向に沿ってそれぞれ表示された補助図柄表示体（８０）と、この補助図柄表示体を、前記リールの回転が停止しているときは、前記補助図柄が前記窓の内側に表示される位置に配置されるとともに前記非図柄領域が前記リールの裏面に隠れるように支持し、かつ、前記リールが回転を開始するときは、慣性力によって前記リールの回転方向と相対的に逆方向へ移動させることにより前記非図柄領域が前記窓の内側に表示されるとともに前記補助図柄が前記リールの裏面に隠れるように支持し、さらに、前記リールの回転中は前記移動した状態で前記リールと共に回転させ、前記リールの回転が停止したときは前記移動をする前の位置に復帰させる支持手段（８１，８３，８３ａ，４３）と、前記リールの回転方向と逆方向へ移動した前記補助図柄表示体が、前記非図柄領域を前記窓の内側に表示した位置で停止するように前記補助図柄表示体の移動範囲を規制する規制手段（４２，８４）と、を備えたという技術的手段を用いる。
なお、後述する第２実施形態の回胴式遊技機１０が、請求項８に係る発明の一例である。
【００１４】
請求項９に記載の発明では、請求項８に記載の回胴式遊技機（１０）において、前記リール（１２，１３，１４）の外周面には、前記窓（１２ｃ，１３ｃ，１４ｃ）が前記特定図柄（Ｚ１）を挟んでそれぞれ形成されており、前記補助図柄表示体（８０）には、前記各窓に対応する前記補助図柄（Ｚ３）および非図柄領域（８５）がそれぞれ表示されているという技術的手段を用いる。
なお、後述する第２実施形態の回胴式遊技機１０が、請求項９に係る発明の一例である。
【００１５】
請求項１０に記載の発明では、請求項８または請求項９に記載の回胴式遊技機（１０）において、前記リール（１２，１３，１４）の外周面には、前記窓（１２ｃ，１３ｃ，１４ｃ）が連続して複数形成されており、前記補助図柄表示体（８０）には、前記各窓に対応する前記補助図柄（Ｚ３）および非図柄領域（８５）がそれぞれ表示されているという技術的手段を用いる。
なお、後述する第２実施形態の第１変更例の回胴式遊技機１０が、請求項１０に係る発明の一例である。
【００１６】
請求項１１に記載の発明では、複数種類の図柄（Ｚ、Ｚ１）が外周面に沿って表示されたリール（１２，１３，１４）と、リールを回転させる回転駆動手段（７０）と、回転するリールの外周面を遊技者に表示するとともに、リールの回転が停止したときに複数の停止図柄を表示する表示窓（１２ａ，１３ａ，１４ａ）と、遊技者の操作により、前記回転駆動手段を駆動してリールを回転させる回転開始手段（２５）と、リールの回転が停止したときに前記表示窓に表示されている停止図柄が所定の図柄である場合に所定数の賞媒体を払出す払出手段とを備えた回胴式遊技機（１０）において、前記リールの外周面のうち、特定図柄を表示すべき部分に開口形成された窓（１２ｃ，１３ｃ，１４ｃ）と、前記特定図柄と同一の図柄が補助図柄（Ｚ２）として、前記図柄、特定図柄および補助図柄のいずれも表示されていない領域が非図柄領域（９１）として、前記リールの外周面に表示された図柄の配置方向に沿ってそれぞれ表示された補助図柄表示体（９０）と、この補助図柄表示体を、前記リールの回転が停止しているときは、前記補助図柄が前記窓の内側に表示されるとともに前記非図柄領域が前記リールの裏面に隠れるように支持し、かつ、前記リールが回転を開始するときは、慣性力によって前記リールの回転方向と相対的に逆方向へ移動させることにより前記非図柄領域が前記窓の内側に表示されるとともに前記補助図柄が前記リールの裏面に隠れるように支持し、さらに、前記リールの回転中は前記移動した状態で前記リールと共に回転させ、前記リールの回転が停止したときは前記移動をする前の位置に復帰させる支持手段と、前記リールの回転方向と逆方向へ移動した前記補助図柄表示体が、前記非図柄領域を前記窓の内側に表示した位置で停止するように前記補助図柄表示体の移動範囲を規制する規制手段と、を備えたという技術的手段を用いる。
なお、後述する第２実施形態の第２変更例の回胴式遊技機１０が、請求項１１に係る発明の一例である。
【００１７】
請求項１２に記載の発明では、請求項１１に記載の回胴式遊技機（１０）において、前記リール（１２，１３，１４）の外周面には、前記窓（１２ｃ，１３ｃ，１４ｃ）が連続して複数形成されており、前記補助図柄表示体（９０）には、前記各窓に対応する前記補助図柄（Ｚ２）および非図柄領域（９１）がそれぞれ表示されているという技術的手段を用いる。
なお、後述する第２実施形態の第３変更例の回胴式遊技機１０が、請求項１２に係る発明の一例である。
【００１８】
請求項１３に記載の発明では、複数種類の図柄が外周面に沿って表示されたリール（１２，１３，１４）と、リールを回転させる回転駆動手段（７０）と、回転するリールの外周面を遊技者に表示するとともに、リールの回転が停止したときに複数の停止図柄を表示する表示窓（１２ａ，１３ａ，１４ａ）と、遊技者の操作により、前記回転駆動手段を駆動してリールを回転させる回転開始手段（２５）と、リールの回転が停止したときに前記表示窓に表示されている停止図柄が所定の図柄である場合に所定数の賞媒体を払出す払出手段とを備えた回胴式遊技機（１０）において、前記リールの外周面のうち、特定図柄を表示すべき部分には、前記図柄および特定図柄のいずれも表示されていない領域が非図柄領域（１２ｄ，１３ｄ，１４ｄ）として形成されており、前記リールの外周面に表示された図柄のうち、前記特定図柄と同一の図柄が補助図柄（Ｚ２）として表示された補助図柄表示体（１００）と、この補助図柄表示体を、前記リールの回転が停止しているときは、前記補助図柄が前記非図柄領域を覆うように支持し、かつ、前記リールが回転を開始するときは、慣性力によって前記リールの回転方向と相対的に逆方向へ移動させるとともに前記補助図柄が前記特定図柄に隣接する図柄を覆うとともに前記非図柄領域が露出するように支持し、さらに、前記リールの回転中は前記移動した状態で前記リールと共に回転させ、前記リールの回転が停止したときは前記移動をする前の位置に復帰させる支持手段（１０１，１０３，１０３ａ，４３）と、前記リールの回転方向と逆方向へ移動した前記補助図柄表示体が、前記非図柄領域を露出した位置で停止するように前記補助図柄表示体の移動範囲を規制する規制手段（４２，１０４）と、を備えたという技術的手段を用いる。  
なお、後述する第３実施形態の回胴式遊技機１０が、請求項１３に係る発明の一例である。
【００１９】
請求項１４に記載の発明では、請求項１３に記載の回胴式遊技機（１０）において、前記リール（１２，１３，１４）の外周面には、前記非図柄領域（１２ｄ，１３ｄ，１４ｄ）が連続して複数形成されており、前記補助図柄表示体（１００）には、前記各非図柄領域に対応する前記補助図柄（Ｚ２）が表示されているという技術的手段を用いる。
なお、後述する第３実施形態の変更例の回胴式遊技機１０が、請求項１４に係る発明の一例である。
【００２０】
請求項１５に記載の発明では、請求項１ないし請求項１４のいずれか１つに記載の回胴式遊技機（１０）において、前記支持手段は、前記リール（１２，１３，１４）の回転軸（４３）に取付けられた回動中心部（３３ａ，８３ａ，１０３ａ）と、この回動中心部と前記補助図柄表示体とを接続する接続部（３１，８１，１０１）とを備えたという技術的手段を用いる。
【００２１】
請求項１６に記載の発明では、請求項１ないし請求項１５のいずれか１つに記載の回胴式遊技機（１０）において、前記支持手段は、前記リールの回転が停止したときは、前記補助図柄表示体（３０，５０，８０，９０，１００）を前記移動をする前の位置に自重によって復帰させるように構成されているという技術的手段を用いる。
【００２２】
請求項１７に記載の発明では、請求項１ないし請求項１５のいずれか１つに記載の回胴式遊技機（１０）において、前記規制手段は、前記リールの回転が停止したときに、前記移動した前記補助図柄表示体を移動前の位置へ復帰させるバネ（６０）を備えたという技術的手段を用いる。
なお、後述する第４実施形態の回胴式遊技機１０が、請求項１７に係る発明の一例である。
【００２３】
請求項１８に記載の発明では、請求項１７に記載の回胴式遊技機（１０）において、前記補助図柄表示体は、前記リールの回転停止時に、慣性力および前記バネのバネ力によって前記リールの回転方向と逆方向への移動および回転方向への移動を行った後に移動前の位置へ復帰するという技術的手段を用いる。
なお、後述する第４実施形態の回胴式遊技機１０が、請求項１８に係る発明の一例である。
【００２４】
請求項１９に記載の発明では、請求項１ないし請求項１５のいずれか１つに記載の回胴式遊技機（１０）において、前記規制手段は、前記リールの回転が停止したときに、前記移動した前記補助図柄表示体をそれぞれ移動前の位置へ復帰させる錘を備えたという技術的手段を用いる。
【００２５】
請求項２０に記載の発明では、請求項１７ないし請求項１９のいずれか１つに記載の回胴式遊技機（１０）において、前記補助図柄表示体が複数配置されたという技術的手段を用いる。
なお、後述する第４実施形態の回胴式遊技機１０が、請求項２０に係る発明の一例である。
【００２６】
請求項２１に記載の発明では、請求項１５ないし請求項２０のいずれか１つに記載の回胴式遊技機（１０）において、前記リール（１２，１３，１４）は、前記回転軸（４３）とリール本体とを連結する連結部（４０，４１）を備えており、前記規制手段は、前記接続部（３１，８１，１０１）の所定個所に形成された突起部（３４，８４，１０４）と、前記連結部に形成されており、前記突起部の移動範囲を規制する規制部（４２）とを備えており、前記規制部によって前記突起部の移動範囲を規制することにより前記補助図柄表示体の移動範囲を規制するように構成されているという技術的手段を用いる。
なお、上記の括弧内の符号は、後述する実施形態において使用する符号および語句と対応するものである。
【発明の効果】
【００２７】
（請求項１に係る発明の効果）
リールの回転が停止しているときは、補助図柄表示体の隠蔽部がリールの特殊図柄を覆っており、隠蔽部を構成する打抜き部の内側に特殊図柄の非欠落部が表示されるため、隠蔽部を介してリールの特殊図柄を視認することができる。
また、リールが回転を始めると、補助図柄表示体は慣性力によってリールの回転方向と相対的に逆方向へ移動し、隠蔽部の打抜き部の内側に特殊図柄の欠落部が表示され、非欠落部は非打抜き部の内側に隠れるため、隠蔽部を介して特殊図柄を視認することができなくなり、特殊図柄が表示されていた領域は、隠蔽部の打抜き部の内側に表示された欠落部と、隠蔽部の非打抜き部とからなる領域に変化する。
つまり、特定図柄に隣接する領域であって特殊図柄が表示されていた領域が図柄の表示されていない領域に変化するため、特定図柄の表示位置を目立たせることができる。
従って、特定図柄が他の図柄から非常に目立った状態となるため、遊技者は、目押し操作のタイミングを採り易くなる。
【００２８】
また、リールの回転が停止すると、補助図柄表示体は移動前の位置に戻り、隠蔽部の非打抜き部に隠れていた特殊図柄の非欠落部が再び打抜き部の内側に表示されるため、特定図柄に隣接する領域に特殊図柄を復活表示させることができる。
従って、特定図柄以外の図柄の配置位置や個数が制限されることなく、目押し操作が行い易い回胴式遊技機を実現することができる。
さらに、補助図柄表示体はリールの回転開始時に慣性力によって移動するため、モータなど、移動のための駆動源が不要であり、回胴式遊技機の製造コストを低減することができる。
さらに、リールと補助図柄表示体とが重なった部分はリールが２重になるため、その部分を立体的に見せることができる。
【００２９】
（請求項２に係る発明の効果）
補助図柄表示体は、隠蔽部が特殊図柄を覆った状態のときに特定図柄を内側に表示可能な窓部を備えるため、その窓部の存在により、特定図柄の表示位置を目立たせることができる。
【００３０】
（請求項３に係る発明の効果）
リールの外周面には、特殊図柄が特定図柄を挟んでそれぞれ表示されており、補助図柄表示体は、各特殊図柄に対応する隠蔽部を窓部を挟んでそれぞれ有するため、リールの回転中は、特定図柄の前後の領域が図柄の表示されていない領域に変化するので、特定図柄の表示位置をより一層目立たせることができる。
【００３１】
（請求項４に係る発明の効果）
リールの外周面には、特殊図柄が特定図柄に隣接する位置から連続して複数表示されており、補助図柄表示体は、複数の特殊図柄に対応する隠蔽部を連続して複数有するため、リールの回転中は、特殊図柄が１つのみの場合よりも特定図柄の表示位置を目立たせることができる。
【００３２】
（請求項５に係る発明の効果）
特定図柄自身が欠落部および非欠落部を組み合わせて構成されているため、リールの回転中は、特定図柄が表示されていた領域を図柄の表示されていない領域に変化させることができるので、特定図柄が表示されていた領域を目立たせることができる。
また、リールの回転が停止すると、図柄の表示されていなかった領域に特定図柄が復活して表示される。
従って、特定図柄以外の図柄の配置位置や個数が制限されることなく、目押し操作が行い易い回胴式遊技機を実現することができる。
また、リールと補助図柄表示体とが重なった部分はリールが２重になるため、その部分を立体的に見せることができる。
【００３３】
（請求項６に係る発明の効果）
欠落部および非欠落部を組み合わせて構成された特定図柄が連続して複数表示されており、補助図柄表示体は、各特定図柄に対応する隠蔽部を連続して複数有するため、リールの回転中は、特定図柄が連続して複数表示されていた領域が総て図柄の存在しない領域に変化するので、欠落部および非欠落部を組み合わせて構成された特定図柄が１つのみ表示されている構成よりも特定図柄の表示位置を目立たせることができる。
【００３４】
（請求項７に係る発明の効果）
欠落部および非打抜き部が同一色で表示されているため、リールの回転中は、打抜き部の内側に表示される欠落部の存在が目立たなくなるので、欠落部および非欠落部からなる特殊図柄が表示されていた領域を単一色の領域に変化させることができる。
従って、特定図柄の表示位置をより一層目立たせることができる。
【００３５】
（請求項８に係る発明の効果）
リールの回転が停止しているときは、特定図柄以外の図柄と同一の図柄である補助図柄がリールの窓の内側に表示され、非図柄領域がリールの裏面に隠れるため、リールの窓を介して補助図柄を視認することができる。
また、リールが回転を始めると、補助図柄表示体は慣性力によってリールの回転方向と相対的に逆方向へ移動し、補助図柄表示体の非図柄領域がリールの窓の内側に表示され、補助図柄はリールの裏面に隠れるため、窓を介して補助図柄を視認することができなくなり、補助図柄が表示されていた領域は、非図柄領域に変化する。
つまり、特定図柄に隣接する領域であって特定図柄以外の図柄が表示されていた領域が図柄の表示されていない領域に変化するため、特定図柄の表示位置を目立たせることができる。
従って、特定図柄が他の図柄から非常に目立った状態となるため、遊技者は、目押し操作のタイミングを採り易くなる。
また、リールと補助図柄表示体とが重なった部分はリールが２重になるため、その部分を立体的に見せることができる。
【００３６】
（請求項９に係る発明の効果）
リールの外周面には、窓が特定図柄を挟んでそれぞれ形成されており、補助図柄表示体には、各窓に対応する補助図柄および非図柄領域がそれぞれ表示されているため、リールの回転中は、特定図柄の前後の領域が図柄の表示されていない領域に変化するので、特定図柄の表示位置をより一層目立たせることができる。
【００３７】
（請求項１０に係る発明の効果）
リールの外周面には、窓が連続して複数形成されており、補助図柄表示体には、各窓に対応する補助図柄および非図柄領域がそれぞれ表示されているため、リールの回転中は、非図柄領域が１つのみの場合よりも特定図柄の表示位置を目立たせることができる。
【００３８】
（請求項１１に係る発明の効果）
リールの外周面のうち、特定図柄を表示すべき部分に窓が開口形成されており、リールの回転が停止しているときは、その窓の内側に補助図柄表示体の補助図柄が表示され、リールの回転中は、その窓の内側に補助図柄表示体の非図柄領域が表示されるため、リールの回転中は、特定図柄が表示されていた領域を目立たせることができる。
また、リールが回転を開始すると、それまで表示されていた特定図柄が消えるため、意外性のある面白い遊技を楽しむことができる。
また、リールと補助図柄表示体とが重なった部分はリールが２重になるため、その部分を立体的に見せることができる。
【００３９】
（請求項１２に係る発明の効果）
リールの外周面には、窓が連続して複数形成されており、補助図柄表示体には、各窓に対応する補助図柄および非図柄領域がそれぞれ表示されているため、リールの回転中は、各窓に非図柄領域をそれぞれ表示することができるので、窓が１つのみの場合よりも特定図柄が表示されていた領域を目立たせることができる。
【００４０】
（請求項１３に係る発明の効果）
リールが回転を始めると、補助図柄表示体は慣性力によってリールの回転方向と相対的に逆方向へ移動し、特定図柄と同一の補助図柄がリールの非図柄領域に隣接する図柄を覆うため、補助図柄の次に非図柄領域が表示された状態となるので、補助図柄、つまり特定図柄の表示位置を目立たせることができる。
また、リールの回転が停止しているときは、補助図柄が非図柄領域に表示され、補助図柄表示体によって覆われていた図柄が出現するため、図柄の配置や数が制限されることがない。
さらに、リールと補助図柄表示体とが重なった部分はリールが２重になるため、その部分を立体的に見せることができる。
【００４１】
（請求項１４に係る発明の効果）
リールの外周面には、非図柄領域が連続して複数形成されており、補助図柄表示体には、各非図柄領域に対応する補助図柄が表示されているため、リールの回転中は、複数の非図柄領域が連続して表示されるので、非図柄領域が１つのみ表示される場合よりも、補助図柄、つまり特定図柄の表示位置をより一層目立たせることができる。
また、複数の補助図柄が連続して表示されるので、補助図柄が１つのみ表示される場合よりも、補助図柄、つまり特定図柄をより一層目立たせることができる。
【００４２】
（請求項１５に係る発明の効果）
支持手段の回動中心部がリールの回転軸に取付けられており、その回動中心部からリールの径方向に延びた接続部の先端に補助図柄表示体が取付けられているため、リールの回転に伴って補助図柄表示体を回転させることができる。
従って、補助図柄表示体を回転させるための駆動源が不要であるため、回胴式遊技機の製造コストを低減することができる。また、電気的故障も発生しない。
【００４３】
（請求項１６に係る発明の効果）
リールの回転が停止したときは、補助図柄表示体を移動をする前の位置に自重によって復帰させることができるため、復帰させるための機械的構造や駆動源などが不要となるので、回胴式遊技機の製造コストを低減することができる。また、機械的故障や電気的故障も発生しない。
【００４４】
（請求項１７に係る発明の効果）
リールの回転が停止したときは、バネによって補助図柄表示体を移動前の位置に復帰させることができるため、復帰させるための動力源などが不要となるので、回胴式遊技機の製造コストを低減することができる。また、電気的故障も発生しない。
【００４５】
（請求項１８に係る発明の効果）
補助図柄表示体は、リールの回転停止時に、慣性力およびバネのバネ力によってリールの回転方向と逆方向への移動および回転方向への移動を行った後に移動前の位置へ復帰する演出を行うことができるため、リールの回転が停止し、補助図柄表示体が表示窓の内側になったときに補助図柄表示体に表示されている補助図柄を目立たせることができる。
【００４６】
また、請求項１に係る発明と請求項１８に係る発明とを組み合わせた場合は、リールの回転停止時に、補助図柄表示体が特殊図柄の上を往復するため、特殊図柄を引き立てることができ、従来にはない面白い演出を行うことができる。
また、このとき、補助図柄表示体の隠蔽部を構成する打抜き部の内側に、特殊図柄の欠落部および非欠落部が交互に表示されるため、特殊図柄が現れたり消えたりする現象が発生するので、従来にはない面白い演出を行うことができる。
【００４７】
また、請求項５に係る発明と請求項１８に係る発明とを組み合わせた場合は、リールの回転停止時に、リールの特定図柄を覆う補助図柄表示体が往復動するため、特定図柄を引き立てることができ、従来にはない面白い演出を行うことができる。
また、このとき、補助図柄表示体の隠蔽部を構成する打抜き部の内側に、特定図柄の欠落部および非欠落部が交互に表示されるため、特定図柄が現れたり消えたりする現象が発生するので、従来にはない面白い演出を行うことができる。
【００４８】
また、請求項８に係る発明と請求項１８に係る発明とを組み合わせた場合は、リールの回転停止時に、リールの窓の内側を補助図柄表示体が往復動するため、窓に隣接する特定図柄を引き立てることができ、従来にはない面白い演出を行うことができる。
また、このとき、リールの窓の内側に、補助図柄表示体の補助図柄および非図柄領域が交互に表示されるため、補助図柄が現れたり消えたりする現象が発生するので、従来にはない面白い演出を行うことができる。
【００４９】
また、請求項１１に係る発明と請求項１８に係る発明とを組み合わせた場合は、リールの回転停止時に、リールの窓の内側を補助図柄表示体が往復動するため、補助図柄表示体の補助図柄、つまり特定図柄と同一の図柄を引き立てることができ、従来にはない面白い演出を行うことができる。
また、このとき、リールの窓の内側に、補助図柄表示体の補助図柄および非図柄領域が交互に表示されるため、特定図柄と同一の図柄が現れたり消えたりする現象が発生するので、従来にはない面白い演出を行うことができる。
【００５０】
また、請求項１３に係る発明と請求項１８に係る発明とを組み合わせた場合は、リールの回転停止時に、リールの非図柄領域の上を補助図柄表示体が往復動するため、補助図柄表示体の補助図柄、つまり特定図柄と同一の図柄を引き立てることができ、従来にはない面白い演出を行うことができる。
また、このとき、リールの外周面において、非図柄領域および補助図柄が交互に表示されるため、従来にはない面白い演出を行うことができる。
【００５１】
（請求項１９に係る発明の効果）
リールの回転が停止したときは、錘によって補助図柄表示体を移動をする前の位置に復帰させることができるため、復帰させるための機械的構造や動力源などが不要となるので、回胴式遊技機の製造コストを低減することができる。また、機械的故障や電気的故障も発生しない。
【００５２】
（請求項２０に係る発明の効果）
補助図柄表示体が複数配置されているため、補助図柄表示体が１つのみ配置されている場合よりも、リールが１回転する間に特定図柄を目立たせる機会を複数回生じさせることができる。つまり、リールが１回転する間に、目押し操作のタイミングを採り易い機会が複数回訪れるため、より一層目押し操作のタイミングを採り易くなる。
【００５３】
（請求項２１に係る発明の効果）
接続部の所定個所に形成された突起部と、回転軸とリール本体とを連結する連結部に形成された規制部とによって補助図柄表示体の移動範囲を規制することができる。
従って、リールの回転時に補助図柄表示体がリールの回転方向と相対的に逆方向に移動し過ぎることにより、隠蔽部の打抜き部に特殊図柄の非欠落部が露出し、特定図柄を目立たせる効果が薄れてしまうおそれがない。また、リールの停止時に補助図柄表示体がリールの回転方向と相対的に逆方向に移動し過ぎることにより、隠蔽部の打抜き部に特殊図柄の欠落部が露出し、特殊図柄を識別不能になってしまうおそれがない。
【発明を実施するための最良の形態】
【００５４】
＜第１実施形態＞
［全体の主要構成］
まず、この発明の第１実施形態に係る回胴式遊技機の主要構成について図１を参照して説明する。図１は、その回胴式遊技機の外観を示す斜視図である。なお、以下の説明では、図１を基準とし、回胴式遊技機にて遊技を行う遊技者と対向する面を前面、対向する方向を前方とする。
【００５５】
回胴式遊技機１０には、箱状のハウジング１１が備えられており、そのハウジング１１の前面には、上から順に上部ランプ６、上段パネル５、中段パネル４、下段パネル３が設けられている。下段パネル３は前方へ突出して設けられており、その下段パネル３と中段パネル４との境界部分には、段部２が形成されている。中段パネル４には、左から順に左表示窓１２ａ、中表示窓１３ａ、右表示窓１４ａが所定間隔を置いて横並びに配置されている。各表示窓は、縦長の長方形に開口形成されており、各開口部には、ガラスや合成樹脂などの透光性材料により形成された蓋がそれぞれ嵌め込まれている。各蓋の内側には、それぞれ左リール１２，中リール１３，右リール１４が設けられている。
【００５６】
なお、以下の説明において左リール１２、中リール１３および右リール１４に共通の事項を説明する場合は、単にリール（回胴）という。また、左表示窓１２ａ、中表示窓１３ａおよび右表示窓１４ａに共通の事項を説明する場合は、単に表示窓という。
【００５７】
図２は、各リールの取付構造を示す説明図である。各リールは、それぞれ円筒形状に形成されており、同軸上に配置されている。各リールは、前面が開口形成されたハウジング２９に回転可能に収容されており、各リールの前方の半分近くが前方に露出した状態になっている。ハウジング２９は、各リールの上方および後方を覆う上壁２９ａと、左右に設けられた２つの側壁２９ｂと、底壁２９ｅとを備える。各壁で囲まれた空間は、２つの仕切部材２９ｄによって３つの空間に仕切られており、各空間にリールが１つずつ収容されている。
【００５８】
各リールの表示窓１２ａ，１２ｂ，１２ｃから視認可能な図柄は上から下へ向かう方向へ回転し、各リールに表示されている図柄は、それぞれ対応する表示窓の内側を上から下へ通過する。
各リールの内側には、照明用のランプが設けられており、そのランプからの光を各リールの裏面に照射することにより、各リールに表示されている図柄が浮かび上がるようになっている。
【００５９】
段部２の右方には、遊技媒体としてのメダルを投入するためのメダル投入口７が設けられており、段部２の左方には、賭数を設定するＢＥＴスイッチ２０が設けられている。段部２の中央には、抽選結果が当りであることを示唆する画像、その他の演出画像などを表示する副表示装置８が設けられている。
下段パネル３の左上角部には、始動レバー２５が設けられている。始動レバー２５は、上下方向に傾倒操作可能であり、メダル投入口７にメダルが投入されていること、あるいは、賞として払出されるべきメダルの数が１以上記憶されていることを条件に、始動レバー２５を上方または下方に倒すと、総てのリールが上下方向に回転を開始し、遊技が開始される。
【００６０】
始動レバー２５の右方には、左から順に左停止スイッチ２２、中停止スイッチ２３、右停止スイッチ２４が所定間隔を置いて横方向に配置されている。左停止スイッチ２２を押すと左リール１２の回転が停止し、中停止スイッチ２３を押すと中リール１３の回転が停止し、右停止スイッチ２４を押すと右リール１４の回転が停止する。また、各停止スイッチの表面は透光性の材料により形成されており、その内側には、停止スイッチの操作状態により点灯、点滅、消灯するＬＥＤがそれぞれ設けられている。つまり、各ＬＥＤの点灯状態を見ることにより、停止スイッチの操作状態を確認できるようになっている。
【００６１】
メダル投入口７の上部に対応する中段パネル４には、メダルそのものを払出す代わりに払出すべきメダルの数を積算して記憶し、その数を貯留枚数として表示する枚数表示部２７が設けられている。この実施形態では、枚数表示部２７は、７セグメントのＬＥＤを２つ横方向に配置して構成されており、最大５０枚まで表示可能となっている。ＢＥＴスイッチ２０を１回押すと、メダル１枚が投入された形となり、貯留枚数から１枚が減算される。この実施形態では、全リールの回転開始から停止までを１遊技とした場合に、１遊技につき、一度に投入できるメダルの数、つまり賭数の最大は３枚である。
【００６２】
ＢＥＴスイッチ２０の左方には、１回の操作で最大の賭数を設定するためのＭＡＸスイッチ２１が設けられている。ハウジング１１の下方には、メダルが払出されるメダル払出口が設けられており、その払出し方向には、払出されたメダルを貯留するメダル受け皿２６が設けられている。また、メダル受け皿２６の左側には、灰皿２８が設けられている。
【００６３】
各表示窓１２ａ，１３ａ，１４ａには、各リールが停止したときに縦方向に３つの図柄が表示されるようになっている。各表示窓の上段に停止した図柄間を結ぶライン、各表示窓の中段に停止した図柄間を結ぶライン、各表示窓の下段に停止した図柄間を結ぶライン、左表示窓１２ａの上段に停止した図柄と、中表示窓１３ａの中段に停止した図柄と、右表示窓１４ａの下段に停止した図柄とを結ぶライン、左表示窓１２ａの下段に停止した図柄と、中表示窓１３ａの中段に停止した図柄と、右表示窓１４ａの上段に停止した図柄とを結ぶラインの計５本のラインが入賞ラインに設定されている。
左表示窓１２ａの左方であって各入賞ラインの延長線上には、入賞ラインが有効になっていることを点灯により報知するライン表示ランプ１５〜１９が設けられている。
【００６４】
賭数が１枚の場合は、中段入賞ラインのみが有効となり、賭数が２枚の場合は、上段入賞ライン、中段入賞ラインおよび下段入賞ラインの計３本の入賞ラインが有効となる。また、賭数が３枚の場合は、５本総ての入賞ラインが有効となる。
図７は、各リールの外周面に表示された図柄の説明図である。各リールの外周面には、複数の図柄が縦方向に１つずつ所定間隔置きに配列されている。また、リール毎に図柄の配列が異なり、同じ図柄でもその数が異なる。この実施形態では、計２１個の図柄がそれぞれ各リールに表示されており、図７に示すように、図柄の種類は、ＢＡＲ、チェリー、セブン、ベル、スイカおよびリプレイの計６種類である。図中、左リール１２の左側に表示された番号は、図柄の配置順序を示す番号である。各リールは、各表示窓から見て上下方向（図７において矢印Ｆ１で示す方向）に回転する。
【００６５】
始動レバー２５を操作すると全リールが回転を開始し、所定の停止スイッチを押すと、その停止スイッチに対応するリールの回転が停止する。各リールの回転が停止したときに、有効になっている入賞ライン上に入賞図柄が揃うと、賞として所定数のメダルが払出される。以下の説明において、払出されるメダル数を配当枚数という。配当枚数は、当りとなった場合の図柄の種類によって異なる。例えば、「チェリー・チェリー・チェリー」の場合の配当枚数は８枚であり、「ベル・ベル・ベル」または「スイカ・スイカ・スイカ」の場合は１０枚であり、「７・７・７」または「ＢＡＲ・ＢＡＲ・ＢＡＲ」の場合は１５枚である。なお、以下の説明では、「チェリー」、「ベル」および「スイカ」を小役図柄という。
【００６６】
また、「Ｒ・Ｒ・Ｒ」が入賞ラインに揃った場合は、メダルを投入しなくても、始動レバー２５を傾倒操作すれば再度各リールが回転する再遊技（リプレイ）が可能となる。
また、入賞ライン上に「ＢＡＲ・ＢＡＲ・ＢＡＲ」が揃うと、レギュラーボーナス遊技が開始される。レギュラーボーナス遊技が開始されると、入賞ライン上に「Ｒ・Ｒ・Ｒ」が揃う確率の高い遊技状態に変化し、「Ｒ・Ｒ・Ｒ」が揃った場合は、１５枚のメダルが払出される。
また、入賞ライン上に「７・７・７」が揃うと、ビッグボーナス遊技が開始される。ビッグボーナス遊技が開始されると、レギュラーボーナス遊技を最大３回分行うことができることに加えて、小役当りの可能性のある遊技を最大３０回行うことができる。
【００６７】
［リールの主要構造］
次に、リールの主要構造について図を参照して説明する。
図３は、右リールの主要構造を示す分解斜視図である。図４は、右リールの左側面の一部を示す説明図であり、（ａ）は停止している右リールの説明図、（ｂ）は回転している右リールの説明図である。各リールは基本的に同じ構造であるため、ここでは右リールの主要構造を代表に説明する。
【００６８】
右リール１４は、リール本体１４ｂを備えており、リール本体１４ｂの右側面には回転軸４３が備えられている。図４に示すように、右リール１４の左側面であって回転軸４３の裏面に対応する箇所には、軸受４５が設けられており、軸受４５には軸挿入孔４４が左から右へ形成されている。右リール１４は、ステッピングモータ７０を備えており、ステッピングモータ７０の回転シャフト７１は軸挿入孔４４に挿入されている。
回転軸４３の基部からは、回転軸４３にリール本体１４ｂを支持するための連結部４０が延びており、連結部４０はリール本体１４ｂの右側の周縁に接合されている。この実施形態では、棒状の４つの連結部４０が回転軸４３の基部から四方に延びており、各連結部４０はリール本体１４ｂの右側の周縁に接合されている。
【００６９】
なお、連結部４０が１つでもリール本体１４ｂを支持することが可能であるが、安定して支持するためには、少なくとも２つ以上の連結部４０を用いることが望ましい。また、側面視扇状、半円形、円形に形成された連結部を用いることもできる。
所定の連結部４０と、この連結部４０と隣り合う連結部４０との間には、連結部４１が形成されている。連結部４１には、後述する突起部３４の移動範囲を規制する規制部４２が形成されている。この実施形態では、規制部４２は、回転軸４３を中心とする円弧状に形成され、左右方向に貫通した溝に形成されている。
【００７０】
右リール１４の外周面のうち、１２番目の特定図柄Ｚ１（図７）の上方を覆う位置には、補助図柄表示体３０が配置されている。補助図柄表示体３０には、特定図柄Ｚ１を覆ったときに特定図柄Ｚ１が内側に露出する窓部３０ａが開口形成されており、窓部３０ａの上下には、隠蔽部３０ｄがそれぞれ形成されている。窓部３０ａの上に形成された隠蔽部３０ｄは、特定図柄Ｚ１の上に表示された図柄Ｚ、つまり右リール１４の回転時に右表示窓１４ａにおいて特定図柄Ｚ１の１つ後に表示される図柄Ｚを覆い隠す大きさに形成されている。窓部３０ａの下に形成された隠蔽部３０ｄは、特定図柄Ｚ１の下に表示された図柄Ｚ、つまり右リール１４の回転時に右表示窓１４ａにおいて特定図柄Ｚ１の１つ前に表示される図柄Ｚを覆い隠す大きさに形成されている。
【００７１】
つまり、右リール１４が停止しているときは、補助図柄表示体３０の窓の内側に特定図柄Ｚ１が表示され、上下の隠蔽部３０ｄによって特定図柄Ｚ１の上下の図柄が覆われる。
この実施形態では、補助図柄表示体３０は、右リール１４の外周部分を３図柄分だけ切り取った形状と相似形に形成されている。また、特定図柄Ｚ１としてセブン図柄が表示されている。
【００７２】
図６（ａ）は隠蔽部３０ｄの構成を示す説明図、（ｂ）はリプレイ図柄の構成を示す説明図、（ｃ）はベル図柄の構成を示す説明図である。図６（ｂ）、（ｃ）に示すように、特殊図柄Ｚは、図柄の所定個所を間引いて構成された図柄であり、間引かれて欠落した部分である欠落部Ｚｂと、欠落していない部分である非欠落部Ｚａとを組み合わせて構成される。図６（ｂ）に示す例では、特殊図柄Ｚとしてのリプレイ図柄が、横方向に一定間隔置きに間引かれており、横方向に形成された非欠落部Ｚａおよび欠落部Ｚｂを交互に配置して構成されている。図６（ｃ）に示す例では、特殊図柄Ｚとしてのベル図柄が、横方向に一定間隔置きに間引かれており、横方向に形成された非欠落部Ｚａおよび欠落部Ｚｂを交互に上下方向に配置して構成されている。なお、図７に示すように、他のスイカ図柄、チェリー図柄も同様に非欠落部Ｚａおよび欠落部Ｚｂを交互に上下方向に配置して構成された特殊図柄になっている。また、特定図柄Ｚ１を非欠落部Ｚａおよび欠落部Ｚｂにより構成することもできる。
【００７３】
図６（ａ）に示すように、隠蔽部３０ｄは、補助図柄表示体３０に開口形成された打抜き部３０ｂと、開口形成されていない非打抜き部３０ｃとを組み合わせて構成される。打抜き部３０ｂは、例えば補助図柄表示体３０を打ち抜いて形成され、隠蔽部３０ｄが特殊図柄Ｚの上方を覆ったときに、非欠落部Ｚａまたは欠落部Ｚｂを内側に表示可能な形状および大きさに開口形成されている。非打抜き部３０ｃは、隠蔽部３０ｄが特殊図柄Ｚの上方を覆ったときに、非欠落部Ｚａまたは欠落部Ｚｂを内側に隠すことができる形状および大きさに形成されている。また、打抜き部３０ｂおよび非打抜き部３０ｃは、非欠落部Ｚａまたは欠落部Ｚｂの配置および組合せに対応して形成されており、１つの打抜き部３０ｂの内側に非欠落部Ｚａが１つ表示されているときは、残る複数の打抜き部３０ｂの内側には、対応する他の非欠落部Ｚａがそれぞれ表示される。また、逆に、１つの打抜き部３０ｂの内側に欠落部Ｚｂが１つ表示されているときは、残る複数の打抜き部３０ｂの内側には、対応する他の欠落部Ｚｂがそれぞれ表示される。
この実施形態では、補助図柄表示体３０の表面および特殊図柄Ｚの欠落部Ｚｂは白色で表示されている。また、リールの外周面における特定図柄Ｚ１および特殊図柄Ｚの周囲も白色で表示されている。なお、打抜き部３０ｂの横幅と窓部３０ａの横幅とを同一にしてもよい。この構成によれば、打抜き部３０ｂの横方向両端の縦線が窓部３０ａ内に入らないため、図柄の存在がより一層分からなくなる。
【００７４】
［補助図柄表示体の取付構造］
各リールに配置された補助図柄表示体は、基本的に同じ取付構造であるため、ここでは右リールに配置された補助図柄表示体の取付構造を代表に説明する。
補助図柄表示体３０は、接続部３１の先端に取付けられており、接続部３１の基端には、回動中心部３３が取付けられている。回動中心部３３には、右リール１４の回転軸４３を挿通するための挿通孔３３ａが左右方向に貫通形成されている。この実施形態では、接続部３１は、回動中心部３３から水平に延びた片持ち式のアーム状に形成されており、補助図柄表示体３０および接続部３１の重量により、挿通孔３３ａの回りには、補助図柄表示体３０および接続部３１を下方へ回動させようとするモーメントが作用する。
【００７５】
接続部３１の左側面であって、右リール１４の連結部４１に形成された規制部４２に対応する箇所には、突起部３４が左方に突出して取付けられている。つまり、回動中心部３３の挿通孔３３ａに右リール１４の回転軸４３が挿通された状態で、突起部３４が規制部４２の内部を移動し、突起部３４が規制部４２内部の端部に当接することにより、補助図柄表示体３０の移動範囲が規制される（図４）。
【００７６】
接続部３１は、補助図柄表示体３０の右端に取付けられており、回動中心部３３の挿通孔３３ａに右リール１４の回転軸４３を挿通したときに、補助図柄表示体３０の窓部３０ａの内側に右リール１４の特定図柄Ｚ１が表示されるようになっている。
規制部４２の長さ、つまり補助図柄表示体３０の移動範囲は、隠蔽部３０ｄを構成する打抜き部３０ｂまたは非打抜き部３０ｃの上下方向の幅、換言すると、特殊図柄Ｚの非欠落部Ｚａまたは欠落部Ｚｂの上下方向の幅に等しい。
補助図柄表示体３０および接続部３１の重量は、右リール１４が回転を開始したときに、慣性力によって補助図柄表示体３０が右リール１４の回転方向と相対的に逆方向に移動して突起部３４が規制部４２内部の上端に当接し、右リール１４の回転が停止したときに、自重によって下降し、突起部３４が規制部４２内部の下端に当接する重量に設定する。
【００７７】
図２に示すように、左リール１２および中リール１３も右リール１４と同じ構成である。図７において、各リールの右側に示す補助図柄表示体３０の位置は、各リールが停止しているときの位置を示す。図７に示すように、左リール１２の外周面の２番目および３番目には、特定図柄Ｚ１（セブン図柄）が２個連続して表示されており、１２番目には特定図柄Ｚ１（セブン図柄）が１個のみ表示されている。左リール１２が停止しているときは、補助図柄表示体３０の窓部３０ａには、１２番目の特定図柄Ｚ１が露出している。
また、中リール１３は右リール１４と同様に、特定図柄Ｚ１（セブン図柄）が１個のみ表示された箇所が２箇所存在し、補助図柄表示体３０の窓部３０ａには、１２番目の特定図柄Ｚ１が露出している。
【００７８】
［補助図柄表示体の動作］
次に、補助図柄表示体３０の動作について説明する。図５は右リールに配置された補助図柄表示体の移動前後の状態を示す部分説明図であり、（ａ）は移動前の補助図柄表示体の説明図、（ｂ）は移動後の補助図柄表示体の説明図である。図８は、各表示窓から見える図柄の表示態様を示す説明図であり、（ａ）は回転中の表示態様を示す説明図、（ｂ）は停止時の表示態様を示す説明図である。
図４（ａ）に示すように、右リール１４が停止しているときは、補助図柄表示体３０は、その自重によって下降するため、接続部３１の突起部３４は、連結部４１の規制部４２の下端に当接した状態となっている。このとき、１２番目の特定図柄Ｚ１（図７）が補助図柄表示体３０の窓部３０ａの内側に表示され、各隠蔽部３０ｄの打抜き部３０ｂの内側に特殊図柄Ｚの非欠落部Ｚａが表示される。図５（ａ）に示す例では、窓部３０ａの内側には特定図柄Ｚ１としてセブン図柄が表示されており、窓部３０ａの上方の隠蔽部３０ｄを介して特殊図柄Ｚとしてリプレイ図柄が表示されており、下方の隠蔽部３０ｄを介して特殊図柄Ｚとしてベル図柄が表示されている。
【００７９】
そして、始動レバー２５を操作すると全リールが一斉に回転を開始する。このとき、各リールの外周面上方に配置された補助図柄表示体３０は、慣性力によって停止時の位置を維持しようとするため、リールの回転方向と相対的に逆方向へ移動する（図４（ｂ））。このとき、接続部３１の突起部３４は、連結部４１の規制部４２の上端に当接するため、補助図柄表示体３０の移動が阻止される。このとき、１２番目の特定図柄Ｚ１（図７）は補助図柄表示体３０の窓部３０ａの内側を僅かに下方へ移動するが、その移動量は、突起部３４の移動量と同じように僅かであるため、外見上は、殆ど移動していないように見える。
【００８０】
また、各隠蔽部３０ｄの打抜き部３０ｂの内側に特殊図柄Ｚの欠落部Ｚｂが表示され、非打抜き部３０ｃの内側に非欠落部Ｚａが隠れるため、それまで表示されていた特殊図柄を視認できなくなる。図５（ｂ）に示す例では、それまで表示されていたリプレイ図柄およびベル図柄を視認できない状態に変化しており、各隠蔽部３０ｄは、その周囲と同じ白色にそれぞれ変化している。
つまり、図５（ｂ）および図８（ａ）に示すように、特定図柄Ｚ１の前後は、図柄の表示されていない白色領域に変化する。以降、右リール１４の回転中は、補助図柄表示体３０の慣性力が維持されるため、補助図柄表示体３０が移動した状態が維持され、特定図柄Ｚ１の前後は、図柄の表示されていない白色領域に変化した状態に維持される。
【００８１】
また、図７および図８（ａ）に示すように、左リール１２については、１２番目のセブン図柄の上下に表示されていた特殊図柄Ｚがそれぞれ白色領域に変化する。また、中リール１３についても１２番目のセブン図柄の上下に表示されていた特殊図柄Ｚがそれぞれ白色領域に変化する。このため、遊技者の目には、上下に流れる白色領域中に特定図柄Ｚ１が存在するように映るため、特定図柄Ｚ１を認識し易いので、容易に目押し操作を行うことができる。
このため、遊技者の目には、各リールにおいて、上下に流れる白色領域中に特定図柄Ｚ１が存在するように映るため、特定図柄Ｚ１を認識し易いので、目押し操作のタイミングを採り易い。この場合、特定図柄Ｚ１を、その周囲の色と異なる色で表示すれば、特定図柄Ｚ１を周囲から目立たせることができる。例えば、特定図柄Ｚ１を赤色で表示すれば、上下に流れる白色領域中に赤色の特定図柄Ｚ１が存在するため、特定図柄Ｚ１を周囲から浮かび上がらせることができ、非常に目立つので、目押し操作のタイミングを採り易い。
【００８２】
そして、左停止スイッチ２２、中停止スイッチ２３および右停止スイッチ２４を押すと、その押した停止スイッチに対応するリールの回転が停止する。このとき、各リールに配置された補助図柄表示体３０は、自重によって下降し、突起部３４が規制部４２の内側下端に当接したときに下降が停止する。そして、各隠蔽部３０ｄの非打抜き部３０ｃの裏面に隠れていた特殊図柄Ｚの非欠落部Ｚａが打抜き部３０ｂの内側へ移動して露出する。
図８（ｂ）に示す例は、中段の入賞ラインにてセブン図柄が揃い、セブン図柄による当りが画定した状態を示す。左リール１２の特定図柄Ｚ１の上下にはリプレイ図柄、チェリー図柄がそれぞれ表示されており、中リール１３の特定図柄Ｚ１の上下にはチェリー図柄、リプレイ図柄がそれぞれ表示されており、右リール１４の特定図柄Ｚ１の上下にはリプレイ図柄、ベル図柄がそれぞれ表示されている。
【００８３】
［第１実施形態の効果］
（１）リールの回転が停止しているときは、補助図柄表示体３０の隠蔽部３０ｄがリールの特殊図柄Ｚを覆っており、隠蔽部３０ｄを構成する打抜き部３０ｂの内側に特殊図柄Ｚの非欠落部Ｚａが表示されるため、隠蔽部３０ｄを介してリールの特殊図柄Ｚを視認することができる。
【００８４】
（２）また、リールが回転を始めると、補助図柄表示体３０は慣性力によってリールの回転方向と相対的に逆方向へ移動し、隠蔽部３０ｄの打抜き部３０ｂの内側に特殊図柄Ｚの欠落部Ｚｂが表示され、非欠落部Ｚａは非打抜き部３０ｃの内側に隠れるため、隠蔽部３０ｄを介して特殊図柄Ｚを視認することができなくなり、特殊図柄Ｚが表示されていた領域は、隠蔽部３０ｄの打抜き部３０ｂの内側に表示された欠落部Ｚｂと、隠蔽部３０ｄの非打抜き部３０ｃとからなる領域に変化する。
つまり、特定図柄Ｚ１に隣接する領域であって特殊図柄Ｚが表示されていた領域が図柄の表示されていない領域に変化するため、特定図柄Ｚ１の表示位置を目立たせることができる。
従って、特定図柄Ｚ１が他の図柄から非常に目立った状態となるため、遊技者は、目押し操作のタイミングを採り易くなる。
【００８５】
（３）また、リールの回転が停止すると、補助図柄表示体３０は移動前の位置に戻り、隠蔽部３０ｄの非打抜き部３０ｃに隠れていた特殊図柄Ｚの非欠落部Ｚａが再び打抜き部３０ｂの内側に表示されるため、特定図柄Ｚ１に隣接する領域に特殊図柄Ｚを復活表示させることができる。
従って、特定図柄Ｚ１以外の図柄の配置位置や個数が制限されることなく、目押し操作が行い易い回胴式遊技機を実現することができる。
【００８６】
（４）さらに、補助図柄表示体３０はリールの回転開始時に慣性力によって移動するため、モータなど、移動のための駆動源が不要であり、回胴式遊技機の製造コストを低減することができる。
【００８７】
（５）補助図柄表示体３０は、隠蔽部３０ｄが特殊図柄Ｚを覆った状態のときに特定図柄Ｚ１を内側に表示可能な窓部３０ａを備えるため、その窓部３０ａの存在により、特定図柄Ｚ１の表示位置を目立たせることができる。
【００８８】
（６）リールの外周面には、特殊図柄Ｚが特定図柄Ｚ１を挟んでそれぞれ表示されており、補助図柄表示体３０は、各特殊図柄Ｚに対応する隠蔽部３０ｄを窓部３０ａを挟んでそれぞれ有するため、リールの回転中は、特定図柄Ｚ１の前後の領域が図柄の表示されていない領域に変化するので、特定図柄Ｚ１の表示位置をより一層目立たせることができる。
【００８９】
（７）欠落部Ｚｂおよび非打抜き部３０ｃが同一色で表示されているため、リールの回転中は、打抜き部３０ｂの内側に表示される欠落部Ｚｂの存在が目立たなくなるので、欠落部Ｚｂおよび非欠落部Ｚａからなる特殊図柄Ｚが表示されていた領域を単一色の領域に変化させることができる。
従って、特定図柄Ｚ１の表示位置をより一層目立たせることができる。
【００９０】
（８）補助図柄表示体３０を回転させるための駆動源が不要であるため、回胴式遊技機の製造コストを低減することができる。また、電気的故障も発生しない。
【００９１】
（９）リールの回転が停止したときは、補助図柄表示体３０を移動をする前の位置に自重によって復帰させることができるため、復帰させるための機械的構造や駆動源などが不要となるので、回胴式遊技機の製造コストを低減することができる。また、機械的故障や電気的故障も発生しない。さらに、リールが停止してから、補助図柄表示体３０が、自重により移動前の位置に動くため、単純にリールのみが停止するものよりも、停止態様に変化をもたらせることができる。
【００９２】
（１０）接続部３１から左方に突出した突起部３４と、回転軸４３とリール本体とを連結する連結部４０に形成された規制部４２とによって補助図柄表示体３０の移動範囲を規制することができる。
従って、リールの回転中に補助図柄表示体３０がリールの回転方向と相対的に逆方向に移動し過ぎることにより、隠蔽部３０ｄの打抜き部３０ｂに特殊図柄Ｚの非欠落部Ｚａが露出し、特定図柄を目立たせる効果が薄れてしまうおそれがない。また、リールの停止時に補助図柄表示体３０がリールの回転方向に移動し過ぎることにより、隠蔽部３０ｄの打抜き部３０ｂに特殊図柄Ｚの欠落部Ｚｂが露出し、特殊図柄を識別不能になってしまうおそれがない。
【００９３】
（１１）リールと補助図柄表示体３０とが重なった部分はリールが２重になるため、その部分を立体的に見せることができる。
【００９４】
（第１実施形態の第１変更例）
リールの外周面に特殊図柄Ｚを特定図柄Ｚ１に隣接する位置から連続して複数表示し、複数の特殊図柄に対応する隠蔽部３０ｄを連続して複数有する補助図柄表示体３０を配置することもできる。例えば、特殊図柄Ｚを特定図柄Ｚ１を挟んで２個ずつ連続表示し、補助図柄表示体３０の窓部３０ａを挟んで特殊図柄Ｚに対応する隠蔽部を２個ずつ連続形成する。この構成を使用すれば、リールの回転中は、特定図柄Ｚ１の前後の２図柄分が消えるため、特定図柄Ｚ１の表示位置をより一層目立たせることができる。
【００９５】
（第１実施形態の第２変更例）
図９は第２変更例の説明図であり、（ａ）は移動前の補助図柄表示体の説明図、（ｂ）は移動後の補助図柄表示体の説明図、（ｃ）は隠蔽部の部分拡大図である。図１０は、各表示窓から見える図柄の表示態様を示す説明図であり、（ａ）は回転中の表示態様を示す説明図、（ｂ）は停止時の表示態様を示す説明図である。
【００９６】
リールに表示された特定図柄Ｚ１は、前述の特殊図柄Ｚと同じように、欠落部Ｚｂと非欠落部Ｚａとを組み合わせて構成されている。補助図柄表示体５０は、前述の補助図柄表示体３０と同じように、打抜き部５１および非打抜き部５２を組み合わせて構成された隠蔽部５３を有する。
図９（ａ）に示すように、リールの停止時は、隠蔽部５３の打抜き部５１の内側に特定図柄Ｚ１の非欠落部が表示されており、隠蔽部５３を介して特定図柄Ｚ１を視認できる。図示の例では、特定図柄Ｚ１としてセブン図柄を視認できる。
【００９７】
図９（ｂ）に示すように、リールの回転中は、補助図柄表示体５０が慣性力により、リールの回転方向と相対的に逆方向へ移動するため、隠蔽部５３の打抜き部５１の内側に特定図柄Ｚ１の欠落部が表示されるので、隠蔽部５３を介して特定図柄Ｚ１を視認できない。図１０（ａ）に示すように、各リールの特定図柄Ｚ１が表示されていた領域は、図柄の表示されていない領域に変化し、周囲と同色化している。換言すると、図柄の抜けた部分が形成されているように映る。
【００９８】
従って、リールの回転中は、特定図柄Ｚ１が表示されていた領域を目立たせることができるため、目押し操作のタイミングを採り易い。
そして、リールの回転が停止すると、図１０（ｂ）に示すように、補助図柄表示体５０が自重により移動前の位置に復帰するため、隠蔽部５３を介して特定図柄Ｚ１を視認できる状態に復活する。
なお、欠落部Ｚｂと非欠落部Ｚａとを組み合わせて構成された特定図柄Ｚ１をリールに複数表示し、各特定図柄Ｚ１に対応する隠蔽部５３を有する補助図柄表示体５０を配置することもできる。この構成によれば、リールの回転中は、特定図柄Ｚ１が連続して複数表示されていた領域が総て図柄の存在しない領域に変化するので、特定図柄Ｚ１が１つのみ表示されている構成よりも特定図柄Ｚ１の表示位置を目立たせることができる。
【００９９】
（第１実施形態の第３変更例）
リールが回転を開始してから所定時間は、補助図柄表示体が慣性力によって移動しない速度でリールを回転させることにより、特定図柄Ｚ１に隣接する特殊図柄Ｚが隠蔽部を介して視認できるようにすることもできる。この制御を行えば、リールの外周面に表示された図柄を総て視認することができる。
また、リールの回転中に回転速度を落とし、補助図柄表示体を移動前の位置に復帰させることもできる。この制御によれば、リールの回転途中で総ての図柄を再確認することができる。
さらに、リールの回転速度を変化させることにより、補助図柄表示体を往復動させ、隠蔽部を介して特殊図柄が現れたり消えたりするように制御することもできる。この制御によれば、図柄が現れたり消えたりするという、従来にはない面白い演出を行うことができる。
【０１００】
＜第２実施形態＞
次に、この発明の第２実施形態について図を参照して説明する。
この実施形態の回胴式遊技機は、リールに表示された特定図柄に隣接する箇所に窓が開口形成されており、リールの回転中は、各窓の内側に補助図柄表示体の非図柄領域が表示されることを特徴とする。なお、この実施形態の回胴式遊技機は、リールの外周面および補助図柄表示体の構成以外は、第１実施形態の回胴式遊技機１０と同じ構成であるため、その同じ構成の説明は省略し、同じ構成については同じ符号を用いて説明する。
【０１０１】
図１１は、右リールの主要構造を示す分解斜視図である。図１２は、右リールの左側面の一部を示す説明図であり、（ａ）は停止している右リールの説明図、（ｂ）は回転している右リールの説明図である。図１３は右リールの窓に表示された補助図柄の変化を説明するための説明図であり、（ａ）は右リール停止時における補助図柄の説明図、（ｂ）は右リール回転時における補助図柄の説明図である。図１４は、各リールと補助図柄表示体との位置関係を示す説明図である。図１５は、各表示窓から見える図柄の表示態様を示す説明図であり、（ａ）は回転中の表示態様を示す説明図、（ｂ）は停止時の表示態様を示す説明図である。
【０１０２】
［リールおよび補助図柄表示体の主要構造］
各リールの構造および補助図柄表示体の取付構造は基本的に同じであるため、ここでは右リールの主要構造および右リールの補助図柄表示体の取付構造を代表に説明する。
図１１に示すように、右リール１４の外周面には、特定図柄Ｚ１の両隣に窓１４ｃがそれぞれ開口形成されている。図１４に示すように、本来ならば右リール１４の外周面において１１番目および１３番目に表示されるべき図柄の表示領域に窓１４ｃがそれぞれ開口形成されており、１２番目には特定図柄Ｚ１（セブン図柄）が、１４番目には特定図柄以外の図柄Ｚ（ＢＡＲ図柄）がそれぞれ表示されている。
【０１０３】
右リール１４の裏面には、補助図柄表示体８０が配置されている。特定図柄Ｚ１以外の図柄Ｚと同一の図柄を補助図柄Ｚ３とし、図柄が表示されていない領域をブランク８５とすると、補助図柄表示体８０には、上から順に補助図柄Ｚ３、ブランク８５、補助図柄Ｚ３、ブランク８５が表示されている。この実施形態では、ブランク８５は、無模様であり、リールに表示された図柄の周囲と同じ色で表示されている。また、上側の補助図柄Ｚ３としてチェリー図柄が表示されており、下側の補助図柄Ｚ３としてリプレイ図柄が表示されている。この実施形態では、ブランク８５は、無模様であり、リールに表示された図柄の周囲と同じ色で表示されている。例えば、ブランク８５を無模様の白色で表示する。
【０１０４】
右リール１４の停止時は、補助図柄表示体８０の２つの補助図柄Ｚ３が右リール１４の窓１４ｃの内側にそれぞれ表示され、２つのブランク８５のうち、上部のブランク８５は、右リール１４の特定図柄Ｚ１（セブン図柄）の裏面に隠れ、下部のブランク８５は、１４番目の図柄Ｚ（ＢＡＲ図柄）の裏面に隠れた状態となる。
図１４に示すように、左リール１２の外周面において、本来ならば１番目および４番目に表示されるべき図柄の表示領域に窓１２ｃがそれぞれ開口形成されている。２番目および３番目には特定図柄Ｚ１（セブン図柄）が、５番目には図柄Ｚ（ベル図柄）がそれぞれ表示されている。
【０１０５】
左リール１２の裏面側に配置される補助図柄表示体８０には、上から順にスイカ図柄と同一の補助図柄Ｚ３、ブランク８５、ブランク８５、リプレイ図柄と同一の補助図柄Ｚ３、ブランク８５が表示されている。左リール１２の停止時は、補助図柄表示体８０の２つの補助図柄Ｚ３が左リール１２の窓１２ｃの内側にそれぞれ表示され、３つのブランク８５のうち、上部のブランク８５は、左リール１２の２番目の特定図柄Ｚ１の裏面に隠れ、中部のブランク８５は、３番目の特定図柄Ｚ１（セブン図柄）の裏面に隠れ、下部のブランク８５は、５番目の図柄Ｚ（ベル図柄）の裏面に隠れた状態となる。
【０１０６】
図１４に示すように、中リール１３の外周面において、本来ならば１１番目および１３番目に表示されるべき図柄の表示領域に窓１３ｃがそれぞれ開口形成されている。１２番目には特定図柄Ｚ１（セブン図柄）が、１４番目には図柄Ｚ（ＢＡＲ図柄）がそれぞれ表示されている。
中リール１３の裏面側に配置される補助図柄表示体８０には、上から順にチェリー図柄と同一の補助図柄Ｚ３、ブランク８５、リプレイ図柄と同一の補助図柄Ｚ３、ブランク８５が表示されている。中リール１３の停止時は、補助図柄表示体８０の２つの補助図柄Ｚ３が中リール１３の窓１３ｃの内側にそれぞれ表示され、２つのブランク８５のうち、上部のブランク８５は、中リール１３の１２番目の特定図柄Ｚ１（セブン図柄）の裏面に隠れ、下部のブランク８５は、１４番目の図柄Ｚ（ＢＡＲ図柄）の裏面に隠れた状態となる。
【０１０７】
補助図柄表示体８０は、接続部８１の先端に取付けられており、接続部８１の基端には、回動中心部８３が取付けられている。回動中心部８３には、右リール１４の回転軸４３を挿通するための挿通孔８３ａが左右方向に貫通形成されている。この実施形態では、接続部８１は、回動中心部８３から水平に延びた片持ち式のアーム状に形成されており、補助図柄表示体８０および接続部８１の重量により、挿通孔８３ａの回りには、補助図柄表示体８０および接続部８１を下方へ回動させようとするモーメントが作用する。
【０１０８】
接続部８１は、補助図柄表示体８０の右端であって下側の補助図柄Ｚ３の右方に取付けられており、右リール１４の停止時において、回動中心部８３の挿通孔８３ａに右リール１４の回転軸４３を挿通したときに、補助図柄表示体８０の各補助図柄Ｚ３が、右リール１４の各窓１４ｃの内側から露出するようになっている。
規制部４２の長さは、突起部８４が規制部４２に挿通された状態で、補助図柄表示体８０が、右リール１４の各窓１４ｃに補助図柄Ｚ３を露出させた状態と、ブランク８５を露出させた状態とに変化できる長さに設定されている。
【０１０９】
補助図柄表示体８０および接続部８１の重量は、右リール１４が回転を開始したときに、慣性力によって補助図柄表示体８０が右リール１４の回転方向と相対的に逆方向に回転し、各ブランク８５が、それぞれ右リール１４の窓１４ｃの内側から露出し、右リール１４の回転が停止したときに、自重によって下降し、各補助図柄Ｚ３が、それぞれ窓１４ｃの内側から露出する位置に復帰する重量に設定する。
【０１１０】
［補助図柄表示体の動作］
次に、補助図柄表示体８０の動作について説明する。
図１２（ａ）に示すように、右リール１４が停止しているときは、補助図柄表示体８０は、その自重によって下降するため、接続部８１の突起部８４は、連結部４１の規制部４２の下端に当接した状態となっており、右リール１４の各窓１４ｃの裏面側に補助図柄Ｚ３（チェリー図柄、リプレイ図柄）がそれぞれ露出した状態になっている。また、左リール１２の各窓１２ｃおよび中リールの各窓１３ｃの各裏面側にも、各リール毎に配置された補助図柄表示体５０の補助図柄Ｚ３がそれぞれ露出した状態になっている。
【０１１１】
そして、始動レバー２５を操作すると全リールが一斉に回転を開始する。このとき、各リールの裏面側に配置された各補助図柄表示体８０は、慣性力によって停止時の位置を維持しようとするため、リールの回転方向と相対的に逆方向へ１図柄分移動する（図１２（ｂ））。このとき、接続部８１の突起部８４は、連結部４１の規制部４２の上端に当接するため、補助図柄表示体８０の移動が阻止される。
【０１１２】
例えば、図１３（ａ）に示すように、右リール１４が停止しているときは、右リール１４の各窓１４ｃの内側において補助図柄表示体８０の補助図柄Ｚ３（チェリー図柄、リプレイ図柄）が表示されている。そして、右リール１４が回転を開始すると、図１３（ｂ）に示すように、補助図柄表示体８０が慣性力によって右リール１４の回転方向と相対的に逆方向へ移動し、右リール１４の各窓１４ｃの内側に補助図柄表示体８０のブランク８５がそれぞれ露出する。
【０１１３】
つまり、図示のように、特定図柄Ｚ１であるセブン図柄が上下をブランク８５によって挟まれた状態になる。
以降、右リール１４の回転中は、補助図柄表示体８０の慣性力が維持されるため、補助図柄表示体８０が移動した状態が維持され、白色領域中にセブン図柄が浮き上がって表示された状態が持続する。
また、図１４に示すように、左リール１２については、２番目のセブン図柄および５番目のベル図柄の裏面にそれぞれ隠れていたブランク８５が、各窓１２ｃから露出するため、２つ連続表示されたセブン図柄の前後がブランク８５によって挟まれた状態になる。図１５（ａ）では、左表示窓１２ａを一番早く通過する先頭のブランク８５は既に通過した後であり、図示されていない。
【０１１４】
中リール１３については、１２番目のセブン図柄および１４番目のＢＡＲ図柄の裏面にそれぞれ隠れていたブランク８５が、各窓１３ｃから露出するため、セブン図柄の前後がブランク８５によって挟まれた状態になる（図１５（ａ））。
従って、図１５（ａ）に示すように、各リールにおいてセブン図柄が前後に長い白色領域中に浮かび上がった状態で通過するため、セブン図柄が非常に目立つので、目押し操作のタイミングを採り易くなる。
【０１１５】
そして、左停止スイッチ２２、中停止スイッチ２３および右停止スイッチ２４を押すと、その押した停止スイッチに対応するリールの回転が停止する。図１５（ｂ）に示す例では、左リール１２の裏面側に配置されていた補助図柄表示体８０が自重によって１図柄分下降し、左リール１２の各窓１２ｃに露出していたブランク８５が、それぞれ左リール１２の裏面に隠れ、各補助図柄Ｚ３（スイカ図柄、リプレイ図柄）がそれぞれ窓１２ｃに露出した状態になっており、回転開始前の状態に復帰している。
【０１１６】
中リール１３では、補助図柄表示体８０の下降により、各窓１３ｃに露出していたブランク８５が、それぞれ中リール１３の裏面に隠れ、各補助図柄Ｚ３（チェリー図柄、リプレイ図柄）がそれぞれ窓１３ｃに露出した状態になっており、回転開始前の状態に復帰している。
右リール１４では、補助図柄表示体８０の下降により、各窓１４ｃに露出していたブランク８５が、それぞれ右リール１４の裏面に隠れ、各補助図柄Ｚ３（チェリー図柄、リプレイ図柄）がそれぞれ窓１４ｃに露出した状態になっており、回転開始前の状態に復帰している。
【０１１７】
［第２実施形態の効果］
（１）リールの回転が停止しているときは、補助図柄表示体８０の補助図柄Ｚ３がリールの窓の内側に表示され、ブランク８５がリールの裏面に隠れるため、リールの窓を介して補助図柄Ｚ３を視認することができる。
また、リールが回転を始めると、補助図柄表示体８０は慣性力によってリールの回転方向と相対的に逆方向へ移動し、補助図柄Ｚ３はリールの裏面に隠れるため、窓を介して補助図柄Ｚ３を視認することができなくなり、補助図柄表示体８０のブランク８５がリールの窓の内側に表示される。
つまり、特定図柄Ｚ１に隣接する領域であって特定図柄Ｚ１以外の図柄Ｚが表示されていた領域がブランク８５に変化するため、特定図柄Ｚ１の表示位置を目立たせることができる。
従って、特定図柄Ｚ１が他の図柄Ｚから非常に目立った状態となるため、遊技者は、目押し操作のタイミングを採り易くなる。
【０１１８】
（２）リールの外周面には、窓が特定図柄Ｚ１を挟んでそれぞれ形成されており、補助図柄表示体８０には、各窓に対応する補助図柄Ｚ３およびブランク８５がそれぞれ表示されているため、リールの回転中は、特定図柄Ｚ１の前後の領域がブランク８５に変化するので、特定図柄Ｚ１の表示位置をより一層目立たせることができる。
【０１１９】
（３）リールの回転が停止すると、補助図柄表示体８０は移動前の位置に戻り、リールの裏面に隠れていた補助図柄Ｚ３が再びリールの窓の内側に表示されるため、特定図柄Ｚ１に隣接する領域に図柄Ｚを復活表示させることができる。
従って、特定図柄Ｚ１以外の図柄の配置位置や個数が制限されることなく、目押し操作が行い易い回胴式遊技機を実現することができる。
【０１２０】
（４）補助図柄表示体８０はリールの回転開始時に慣性力によって移動するため、モータなど、移動のための駆動源が不要であり、回胴式遊技機の製造コストを低減することができる。
【０１２１】
（５）補助図柄表示体８０を回転させるための駆動源が不要であるため、回胴式遊技機の製造コストを低減することができる。また、電気的故障も発生しない。
【０１２２】
（６）リールの回転が停止したときは、補助図柄表示体８０を移動をする前の位置に自重によって復帰させることができるため、復帰させるための機械的構造や駆動源などが不要となるので、回胴式遊技機の製造コストを低減することができる。また、機械的故障や電気的故障も発生しない。さらに、リールが停止してから、補助図柄表示体８０が、自重により移動前の位置に動くため、単純にリールのみが停止するものよりも、停止態様に変化をもたらせることができる。
【０１２３】
（７）接続部８１から左方に突出した突起部８４と、回転軸４３とリール本体とを連結する連結部４０に形成された規制部４２とによって補助図柄表示体８０の移動範囲を規制することができる。
従って、リールの回転中に補助図柄表示体８０がリールの回転方向と相対的に逆方向に移動し過ぎることにより、リールの窓の内側に補助図柄Ｚ３の一部がはみ出してしまい、特定図柄Ｚ１の視認性が悪くなるおそれがない。また、リールの停止時に補助図柄表示体８０がリールの回転方向に移動し過ぎることにより、リールの窓の内側にブランク８５の一部がはみ出してしまい、補助図柄Ｚ３の視認性が悪くなるおそれがない。
【０１２４】
（８）リールと補助図柄表示体８０とが重なった部分はリールが２重になるため、その部分を立体的に見せることができる。
【０１２５】
（第２実施形態の第１変更例）
リールの外周面に窓を連続して複数形成し、各窓に対応する補助図柄Ｚ３およびブランク８５をそれぞれ表示した補助図柄表示体８０を配置することもできる。例えば、特定図柄Ｚ１が連続して２個表示されており、これら２個の特定図柄Ｚ１を挟んで窓が２個ずつ連続形成されたリールと、連続表示された２個の補助図柄、図柄２個分のブランク、連続表示された２個の補助図柄、図柄２個分のブランクの順に表示された補助図柄表示体とを組み合わせる。
【０１２６】
そして、補助図柄表示体の移動範囲を２図柄分に制限し、リールの回転中は、補助図柄表示体が慣性力により、リールの回転方向と相対的に逆方向へ２図柄分移動し、リールの停止時は、補助図柄表示体が自重により、リールの回転方向へ２図柄分移動するように、規制部４２の長さ、補助図柄表示体および接続部の重量を設定する。
この構成を使用すれば、リールの回転中は、各特定図柄Ｚ１に隣接する２図柄分がそれぞれ消えるため、特定図柄Ｚ１の表示位置をより一層目立たせることができる。
【０１２７】
（第２実施形態の第２変更例）
図１６は第２変更例の説明図であり、（ａ）は移動前の補助図柄表示体の説明図、（ｂ）は移動後の補助図柄表示体の説明図である。図１７は、各表示窓から見える図柄の表示態様を示す説明図であり、（ａ）は回転中の表示態様を示す説明図、（ｂ）は停止時の表示態様を示す説明図である。
【０１２８】
図１６（ａ）に示すように、右リール１４の外周面のうち、特定図柄Ｚ１を表示すべき部分に窓１４ｃが開口形成されている。右リール１４の裏面側に配置された補助図柄表示体９０の表面上側には、特定図柄Ｚ１と同じ図柄である補助図柄Ｚ２が表示されており、その下側にはブランク９１が表示されている。補助図柄表示体９０は１図柄分上下に移動可能になっており、右リール１４が停止しているときは、図１６（ａ）に示すように、右リール１４の窓１４ｃに補助図柄Ｚ２を表示した状態で停止しており、右リール１４の回転中は、図１６（ｂ）に示すように、窓１４ｃにブランク９１を表示した状態で右リール１４と共に回転する。
また、図１７（ｂ）に示すように、左リール１２の外周面のうち、特定図柄Ｚ１を表示すべき部分に窓１２ｃが開口形成されており、中リール１３の外周面のうち、特定図柄Ｚ１を表示すべき部分に窓１３ｃが開口形成されている。また、左リール１２および中リール１３の裏面側にも補助図柄表示体９０がそれぞれ配置されている。
【０１２９】
図１７（ｂ）に示すように、各リールの回転が停止しているときは、各補助図柄表示体９０の補助図柄Ｚ２が各リールの窓に表示されている。そして、各リールの回転が開始すると、各補助図柄表示体９０は、慣性力により、リールの回転方向と相対的に逆方向へ１図柄分移動するため、各リールの窓から補助図柄Ｚ２が消え、各窓には補助図柄表示体９０のブランク９１がそれぞれ表示される。図１７（ａ）に示すように、リールの回転中は、リールの窓にブランク９１が表示された状態が維持されるため、ブランク９１、つまり補助図柄Ｚ２が表示されていた領域が非常に目立つ。
従って、遊技者は、目立つブランク９１を識別して目押し操作を行えば良いため、目押し操作のタイミングを採り易い。
また、リールが回転を開始すると、それまで表示されていた補助図柄Ｚ２が消えるため、意外性のある面白い遊技を楽しむことができる。
【０１３０】
（第２実施形態の第３変更例）
各リールに窓を複数連続して開口形成し、各補助図柄表示体９０に各窓に対応する補助図柄Ｚ２およびブランクを表示しても良い。例えば、各リールに窓を２つ連続して開口形成し、補助図柄表示体９０の表面上側に補助図柄Ｚ２を２つ連続表示し、その下側にブランク９１を２つ連続表示する。この構成によれば、リールの回転中は、各リールの２つの窓にブランク９１をそれぞれ表示することができるので、窓が１つのみの場合よりも補助図柄Ｚ２が表示されていた領域を目立たせることができる。
【０１３１】
（第２実施形態の第４変更例）
リールが回転を開始してから所定時間は、補助図柄表示体が慣性力によって移動しない速度でリールを回転させることにより、補助図柄表示体の補助図柄がリールの窓から表示された状態を維持することもできる。この制御を行えば、補助図柄表示体の図柄を総て視認することができる。
また、リールの回転中に回転速度を落とし、補助図柄表示体を移動前の位置に復帰させることもできる。この制御によれば、リールの回転途中で補助図柄表示体の図柄を再確認することができる。
さらに、リールの回転速度を変化させることにより、補助図柄表示体を往復動させ、リールの窓に補助図柄表示体の補助図柄およびブランクを交互に表示することもできる。この制御によれば、図柄が現れたり消えたりするという、従来にはない面白い演出を行うことができる。
【０１３２】
＜第３実施形態＞
次に、この発明の第３実施形態について図を参照して説明する。
この実施形態の回胴式遊技機は、リールの特定図柄を表示すべき部分に非図柄領域が形成されており、特定図柄と同一の補助図柄を表示した補助図柄表示体がリールの非図柄領域を覆う位置に配置されていることを特徴とする。なお、この実施形態の回胴式遊技機は、リールの外周面および補助図柄表示体の構成以外は、第１実施形態の回胴式遊技機１０と同じ構成であるため、その同じ構成の説明は省略し、同じ構成については同じ符号を用いて説明する。
【０１３３】
図１８は、右リールの主要構造を示す分解斜視図である。図１９は、右リールの左側面の一部を示す説明図であり、（ａ）は停止している右リールの説明図、（ｂ）は回転している右リールの説明図である。図２０は右リールの窓に表示された補助図柄の変化を説明するための説明図であり、（ａ）は右リール停止時における補助図柄の説明図、（ｂ）は右リール回転時における補助図柄の説明図である。図２１は、各リールと補助図柄表示体との位置関係を示す説明図である。図２２は、各表示窓から見える図柄の表示態様を示す説明図であり、（ａ）は回転中の表示態様を示す説明図、（ｂ）は停止時の表示態様を示す説明図である。
【０１３４】
［リールおよび補助図柄表示体の主要構造］
各リールの構造および補助図柄表示体の取付構造は基本的に同じであるため、ここでは右リールの主要構造および右リールの補助図柄表示体の取付構造を代表に説明する。
図１８に示すように、右リール１４の外周面において、本来、特定図柄Ｚ１を表示すべき部分には、非図柄領域であるブランク１４ｄが表示されている。この実施形態では、図２１に示すように、２番目に表示されるべき特定図柄Ｚ１の領域にブランク１４ｄが表示されている。また、ブランク１４ｄは無模様であり、他の図柄の周囲と同じ色、例えば白色で表示されている。
【０１３５】
右リール１４の裏面には、補助図柄表示体１００が配置されている。補助図柄表示体１００は、図柄を１つ表示する大きさに形成されており、特定図柄Ｚ１と同じ図柄である補助図柄Ｚ２が表面に表示されている。この実施形態では、補助図柄Ｚ２としてセブン図柄が表示されている。
右リール１４の停止時は、補助図柄表示体１００の補助図柄Ｚ２が右リール１４のブランク１４ｄを覆い、右リール１４の外周面に特定図柄Ｚ１が表示されたのと同じ状態になる。図２１に示すように、左リール１２の外周面において、本来、２番目に表示されるべき図柄の表示領域にブランク１２ｄが表示されている。左リール１２にも同じ補助図柄表示体１００が配置されている。
【０１３６】
中リール１３の外周面において、本来、１２番目に表示されるべき図柄の表示領域にブランク１３ｄが表示されている。中リール１３にも同じ補助図柄表示体１００が配置されている。
補助図柄表示体１００は、接続部１０１の先端に取付けられており、接続部１０１の基端には、回動中心部１０３が取付けられている。回動中心部１０３には、右リール１４の回転軸４３を挿通するための挿通孔１０３ａが左右方向に貫通形成されている。この実施形態では、接続部１０１は、回動中心部１０３から水平に延びた片持ち式のアーム状に形成されており、補助図柄表示体１００および接続部１０１の重量により、挿通孔１０３ａの回りには、補助図柄表示体１００および接続部１０１を下方へ回動させようとするモーメントが作用する。
【０１３７】
接続部１０１は、補助図柄表示体１００の右端に取付けられており、右リール１４の停止時において、回動中心部１０３の挿通孔１０３ａに右リール１４の回転軸４３を挿通したときに、補助図柄表示体１００の補助図柄Ｚ２が、右リール１４のブランク１４ｄの上を覆い、ブランク１４ｄを視認できないようになっている。
規制部４２の長さは、突起部１０４が規制部４２に挿通された状態で、補助図柄表示体１００が、右リール１４のブランク１４ｄを覆った状態と、その状態から移動してブランク１４ｄを露出させた状態とに変化できる長さに設定されている。
【０１３８】
補助図柄表示体１００および接続部１０１の重量は、右リール１４が回転を開始したときに、慣性力によって補助図柄表示体１００が右リール１４の回転方向と相対的に逆方向に回転し、覆っていたブランク１４ｄが露出し、右リール１４の回転が停止したときに、自重によって下降し、ブランク１４ｄを覆う位置に復帰する重量に設定する。
【０１３９】
［補助図柄表示体の動作］
次に、補助図柄表示体１００の動作について説明する。
図１９（ａ）に示すように、右リール１４が停止しているときは、補助図柄表示体１００は、その自重によって下降するため、接続部１０１の突起部１０４は、連結部４１の規制部４２の下端に当接した状態となっており、補助図柄表示体１００が右リール１４のブランク１４ｄの上方を覆い、ブランク１４ｄに代えて補助図柄Ｚ２を表示した状態になっている。また、左リール１２および中リール１３にそれぞれ配置された補助図柄表示体１００も各リールのブランク１２ｄ，１３ｄをそれぞれ覆い、補助図柄Ｚ２をそれぞれ表示した状態になっている。
【０１４０】
そして、始動レバー２５を操作すると全リールが一斉に回転を開始する。このとき、各補助図柄表示体１００は、慣性力によって停止時の位置を維持しようとするため、リールの回転方向と相対的に逆方向へ１図柄分移動する（図１９（ｂ））。このとき、接続部１０１の突起部１０４は、連結部４１の規制部４２の上端に当接するため、補助図柄表示体１００の移動が阻止される。
【０１４１】
例えば、図２０（ａ）に示すように、右リール１４が停止しているときは、右リール１４のブランク１４ｄを覆うようにして補助図柄表示体１００の補助図柄Ｚ２（セブン図柄）が表示されている。そして、右リール１４が回転を開始すると、図２０（ｂ）に示すように、補助図柄表示体１００が慣性力によって右リール１４の回転方向と相対的に逆方向へ１図柄分移動し、補助図柄表示体１００は、回転方向と逆方向にブランク１４ｄと隣接する図柄を覆い、ブランク１４ｄが露出する。
【０１４２】
つまり、図示のように、特定図柄Ｚ１であるセブン図柄の下にブランク１４ｄが表示された状態になる。
以降、右リール１４の回転中は、補助図柄表示体１００の慣性力が維持されるため、補助図柄表示体１００が移動した状態が維持され、セブン図柄の下に白色領域が表示された状態が持続する。
また、図２２（ａ）に示すように、左リール１２もセブン図柄の下にブランク１２ｄが表示された状態が持続し、中リール１３もセブン図柄の下にブランク１３ｄが表示された状態が持続する。
従って、各リールにおいてセブン図柄の下に白色領域が存在する状態で通過するため、セブン図柄が非常に目立つので、目押し操作のタイミングを採り易くなる。
【０１４３】
そして、左停止スイッチ２２、中停止スイッチ２３および右停止スイッチ２４を押すと、その押した停止スイッチに対応するリールの回転が停止し、慣性力により移動していた各補助図柄表示体１００が自重によって下降する。このため、図２２（ｂ）に示すように、各リールのブランクを再び補助図柄表示体１００が覆った状態になり、補助図柄Ｚ２が回転前の位置に復帰する。
【０１４４】
［第３実施形態の効果］
（１）リールが回転を始めると、補助図柄表示体１００は慣性力によってリールの回転方向と相対的に逆方向へ移動し、特定図柄と同一の補助図柄Ｚ２がリールのブランクに隣接する図柄を覆うため、補助図柄の次にブランクが表示された状態となるので、補助図柄Ｚ２、つまり特定図柄Ｚ１の表示位置を目立たせることができる。
【０１４５】
（２）リールの回転が停止しているときは、補助図柄Ｚ２がブランク上に表示され、回転中に補助図柄表示体１００によって覆われていた図柄が出現するため、図柄の配置や数が制限されることがない。
【０１４６】
（３）補助図柄表示体１００はリールの回転開始時に慣性力によって移動するため、モータなど、移動のための駆動源が不要であり、回胴式遊技機の製造コストを低減することができる。
【０１４７】
（４）補助図柄表示体１００を回転させるための駆動源が不要であるため、回胴式遊技機の製造コストを低減することができる。また、電気的故障も発生しない。
【０１４８】
（５）リールの回転が停止したときは、補助図柄表示体１００を移動をする前の位置に自重によって復帰させることができるため、復帰させるための機械的構造や駆動源などが不要となるので、回胴式遊技機の製造コストを低減することができる。また、機械的故障や電気的故障も発生しない。さらに、リールが停止してから、補助図柄表示体１００が、自重により移動前の位置に動くため、単純にリールのみが停止するものよりも、停止態様に変化をもたらせることができる。
【０１４９】
（６）接続部１０１から左方に突出した突起部１０４と、回転軸４３とリール本体とを連結する連結部４０に形成された規制部４２とによって補助図柄表示体１００の移動範囲を規制することができる。
従って、リールの回転中に補助図柄表示体１００がリールの回転方向と相対的に逆方向に移動し過ぎることにより、補助図柄表示体１００で覆うべき図柄の一部が露出し、補助図柄Ｚ２を視認し辛くなってしまうおそれがない。また、リールの停止時に補助図柄表示体１００がリールの回転方向に移動し過ぎることにより、リールの回転方向で補助図柄表示体１００と隣接する図柄の一部が補助図柄表示体１００で覆われ、その図柄を視認し辛くなってしまうおそれがない。
【０１５０】
（７）リールと補助図柄表示体１００とが重なった部分はリールが２重になるため、その部分を立体的に見せることができる。
【０１５１】
（第３実施形態の第１変更例）
各リールにブランクを複数連続して形成し、各補助図柄表示体１００に各ブランクに対応する補助図柄Ｚ２を表示しても良い。例えば、各リールにブランクを２つ連続して形成し、補助図柄表示体１００に補助図柄Ｚ２を２つ連続表示する。この構成によれば、リールの回転中は、２つ連続表示されたブランクの次に補助図柄Ｚ２が２つ連続表示されるため、ブランクが１つのみの場合よりも補助図柄Ｚ２が表示されていた領域を目立たせることができる。
【０１５２】
（第３実施形態の第２変更例）
リールが回転を開始してから所定時間は、補助図柄表示体が慣性力によって移動しない速度でリールを回転させることにより、リールのブランクに隣接する図柄が補助図柄表示体によって覆われていない状態を維持することもできる。この制御を行えば、リールに表示された図柄を総て視認することができる。
また、リールの回転中に回転速度を落とし、補助図柄表示体を移動前の位置に復帰させることもできる。この制御によれば、リールの回転途中でリールに表示された図柄を再確認することができる。
さらに、リールの回転速度を変化させることにより、補助図柄表示体を往復動させ、リールのブランクが現れたり消えたりするように制御することもできる（ブランクに隣接する図柄が消えたり現れたりするように制御することもできる。この制御によれば、ブランク、または、図柄が現れたり消えたりするという、従来にはない面白い演出を行うことができる。
【０１５３】
＜第４実施形態＞
次に、この発明の第４実施形態について図を参照して説明する。
この実施形態の回胴式遊技機は、１つのリールに対して補助図柄表示体が２個配置されており、各補助図柄表示体がバネの力によって移動前の位置に復帰することを特徴とする。なお、この実施形態の回胴式遊技機は、補助図柄表示体の個数および取付構造以外は、第３実施形態の回胴式遊技機１０と同じ構成であるため、その同じ構成の説明は省略し、同じ構成については同じ符号を用いて説明する。
図２３は、右リールの主要構造を示す分解斜視図である。図２４は、右リールの左側面の一部を示す説明図であり、（ａ）は停止している右リールの説明図、（ｂ）は回転している右リールの説明図、（ｃ）は右リールの回転が停止したときの説明図である。図２５は、右リールに配置された補助図柄表示体が振動している様子を示す説明図である。
【０１５４】
［リールの主要構造および補助図柄表示体の取付構造］
各リールの構造および補助図柄表示体の取付構造は基本的に同じであるため、ここでは右リールの主要構造および補助図柄表示体の取付構造を代表に説明する。
図２３に示すように、右リール１４の外周面の上方には、補助図柄表示体１００が２個配置されている。回動中心部１０３の両側から接続部１０１がそれぞれ延びており、各接続部１０１の先端には補助図柄表示体１００がそれぞれ取付けられている。回動中心部１０３の上下から取付部材１０５がそれぞれ延びており、各取付部材１０５の左側面からは、バネ６０を係止するための係止部材１０６がそれぞれ突出形成されている。
【０１５５】
この実施形態では、バネ６０は、バネ性部材をコイル状に巻回してなるコイルバネであり、環状の基部６１と、この基部６１の両端から上下に延びた線状の端部６２，６３とから構成される。係止部材１０６は各取付部材１０５に２つずつ形成されており、隣接する係止部材１０６間には、バネ６０の端部６２，６３を挟持するための間隙が形成されている。この実施形態では、係止部材１０６は棒状に形成されており、隣接する係止部材１０６の周面間でバネ６０の端部６２，６３を挟持する構造になっている。
【０１５６】
図２４に示すように、バネ６０の基部６１には軸受４５が挿通されており、バネ６０の上方の端部６２は上方の係止部材１０６間に、下方の端部６３は下方の係止部材１０６間にそれぞれ係止されている。
右リールの外周面には、ブランク１４ｄが正反対の位置にそれぞれ形成されており、右リール１４が停止している状態において、一方の補助図柄表示体１００が一方のブランク１４ｄを覆い、他方の補助図柄表示体１００が他方のブランク１４ｄを覆った状態になる。
【０１５７】
［補助図柄表示体の動作］
図２４（ａ）に示すように、右リール１４が停止しているときは、各補助図柄表示体１００は、それぞれ右リール１４の各ブランク１４ｄを覆う位置に配置されており、その状態は、バネ６０の弾性力によって維持されている。そして、右リール１４が回転を開始すると、右表示窓１４ａに表示されている方の補助図柄表示体１００は、自身の慣性力によって右リール１４の回転方向と相対的に逆方向（上方）に、バネ６０の弾性力に抗して移動し、覆っていたブランク１４ｄを露出させる。また、他方の補助図柄表示体１００も自身の慣性力によって右リール１４の回転方向と相対的に逆方向（下方）に、バネ６０の弾性力に抗して移動し、覆っていたブランク１４ｄを露出させる。
【０１５８】
また、左リール１２に配置されていた各補助図柄表示体１００もそれぞれ左リール１２の回転方向と相対的に逆方向に、バネ６０の弾性力に抗して移動し、覆っていたブランク１２ｄを露出させる。また、他方の補助図柄表示体１００も自身の慣性力によって右リール１４の回転方向と相対的に逆方向に、バネ６０の弾性力に抗して移動し、覆っていたブランク１２ｄを露出させる。
中リール１３に配置されていた各補助図柄表示体１００もそれぞれ中リール１３の回転方向と相対的に逆方向に、バネ６０の弾性力に抗して移動し、覆っていたブランク１３ｄを露出させる。また、他方の補助図柄表示体１００も自身の慣性力によって中リール１３の回転方向と相対的に逆方向に、バネ６０の弾性力に抗して移動し、覆っていたブランク１３ｄを露出させる。
【０１５９】
そして、各停止スイッチが押されると、その押された停止スイッチに対応するリールの回転が停止する。右リール１４の回転が停止すると、図２４（ｃ）に示すように、右リール１４と共に回転していた補助図柄表示体１００には慣性力が作用するため、補助図柄表示体１００はバネ６０の弾性力に抗して下方へ移動する。すると今度は、バネ６０の復元力によって補助図柄表示体１００は上方へ移動し、バネ６０の端部６２，６３が撓み、バネ６０に復元力が発生し、補助図柄表示体１００は再び下方へ移動する。このように、右リール１４の回転が停止したときに、補助図柄表示体１００は上下に振動し、最終的には、バネ６０の弾性力によって、リール回転前の位置に復帰する。
【０１６０】
図２５に示す例において、右表示窓１４ａには、チェリー図柄、ブランク１４ｄおよびリプレイ図柄の上を補助図柄表示体１００が往復動している様子が表示されている。図中において上下方向を指す矢印は、補助図柄表示体１００の移動方向を示す。つまり、右リール１４の回転が停止すると、補助図柄表示体１００が右リール１４のブランク１４ｄの上を上下に振動する。
【０１６１】
このため、補助図柄表示体１００が上側のチェリー図柄の上へ移動したとき、あるいは、下側のリプレイ図柄の上へ移動したときにブランク１４ｄが表示される。
つまり、補助図柄表示体１００の上下の振動により、ブランク１４ｄが出現したり消えたりするため、従来にはなかった面白い演出をすることができる。
【０１６２】
また、図２５に示す例は、中段の入賞ラインにセブン図柄が揃い、ビッグボーナスが発生する場合を示すが、このように入賞役が成立する場合に、その入賞役を構成する図柄と同じ図柄が表示された補助図柄表示体１００が、リール上でブランクの上を上下に往復動すると、その入賞役を構成する図柄を引き立たせることができる。
左リール１２および中リール１３が停止したときにも、同様に各補助図柄表示体１００の振動による演出が行われる。
【０１６３】
［第４実施形態の効果］
（１）リールの回転が停止したときは、バネ６０によって補助図柄表示体１００を移動前の位置に復帰させることができるため、復帰させるための動力源などが不要となるので、回胴式遊技機の製造コストを低減することができる。また、電気的故障も発生しない。
【０１６４】
（２）補助図柄表示体１００は、リールの回転停止時に、慣性力およびバネ６０のバネ力によってリールの回転方向と逆方向への移動および回転方向への移動を行った後に移動前の位置へ復帰する演出を行うことができるため、補助図柄表示体１００が表示窓に表示されたときに、補助図柄表示体１００に表示された補助図柄を目立たせることができる。
【０１６５】
（３）補助図柄表示体１００が２個配置されているため、補助図柄表示体１００が１つのみ配置されている場合よりも、リールが１回転する間に特定図柄Ｚ１を目立たせる機会を２回生じさせることができる。つまり、リールが１回転する間に、目押し操作のタイミングを採り易い機会が２回訪れるため、より一層目押し操作のタイミングを採り易くなる。
【０１６６】
（４）リールの回転が停止しているときは、補助図柄Ｚ２がブランク上に表示され、回転中に補助図柄表示体１００によって覆われていた図柄が出現するため、図柄の配置や数が制限されることがない。
【０１６７】
（５）補助図柄表示体１００はリールの回転開始時に慣性力によって移動するため、モータなど、移動のための駆動源が不要であり、回胴式遊技機の製造コストを低減することができる。
【０１６８】
（６）補助図柄表示体１００を回転させるための駆動源が不要であるため、回胴式遊技機の製造コストを低減することができる。また、電気的故障も発生しない。
【０１６９】
（７）リールの回転が停止したときは、バネ６０のバネ力によって補助図柄表示体１００を移動をする前の位置に自重によって復帰させることができるため、復帰させるための動力源などが不要となるので、回胴式遊技機の製造コストを低減することができる。また、電気的故障も発生しない。
【０１７０】
（８）接続部１０１から左方に突出した突起部１０４と、回転軸４３とリール本体とを連結する連結部４０に形成された規制部４２とによって補助図柄表示体１００の移動範囲を規制することができる。
従って、リールの回転中に補助図柄表示体１００がリールの回転方向と相対的に逆方向に移動し過ぎることにより、補助図柄表示体１００で覆うべき図柄の一部が露出し、補助図柄Ｚ２を視認し辛くなってしまうおそれがない。また、リールの停止時に補助図柄表示体１００がリールの回転方向に移動し過ぎることにより、リールの回転方向で補助図柄表示体１００と隣接する図柄の一部が補助図柄表示体１００で覆われ、その図柄を視認し辛くなってしまうおそれがない。
【０１７１】
（９）リールと補助図柄表示体１００とが重なった部分はリールが２重になるため、その部分を立体的に見せることができる。
【０１７２】
（第４実施形態の変更例）
リールが回転を開始してから所定時間は、補助図柄表示体が慣性力によって移動しない速度でリールを回転させることにより、リールのブランクに隣接する図柄が補助図柄表示体によって覆われていない状態を維持することもできる。この制御を行えば、リールに表示された図柄を総て視認することができる。
また、リールの回転中に回転速度を落とし、補助図柄表示体を移動前の位置に復帰させることもできる。この制御によれば、リールの回転途中でリールに表示された図柄を再確認することができる。
さらに、リールの回転速度を変化させることにより、補助図柄表示体を往復動させ、リールのブランクが現れたり消えたりするように制御することもできる（ブランクに隣接する図柄が消えたり現れたりするように制御することもできる。この制御によれば、ブランク、または、図柄が現れたり消えたりするという、従来にはない面白い演出を行うことができる。
【０１７３】
［他の実施形態］
（１）第４実施形態では、リールが停止したときに、バネ６０のバネ力を用いて各補助図柄表示体１００を移動前の位置に復帰させる構成を説明したが、２つの接続部１０１のうち一方に錘を取付け、その錘の自重によって各補助図柄表示体１００を移動前の位置に復帰させる構成でもよい。この構成を用いる場合は、錘が取付けられている側の補助図柄表示体１００が表示窓から見える位置に停止したときに、突起部１０４が規制部４２の下端に当接し、リール上の各ブランクを覆う状態となるように各補助図柄表示体１００を配置する。この構成を備えた回胴式遊技機を使用した場合は、バネのバネ力によるか、錘の重量によるかの相違はあるが、第４実施形態と同じ効果を奏することができる。なお、この回胴式遊技機が請求項２０の回胴式遊技機に対応する。
【０１７４】
（２）第１ないし第３実施形態および各変形例では、補助図柄表示体をその自重によって移動前の位置に復帰させる構成を説明したが、第４実施形態にて説明したバネ６０を使用して復帰させる構成でもよい。この構成を用いた場合は、第１ないし第３実施形態および各変形例の効果に加えて、第４実施形態の効果（２）を奏することもできる。また、上記他の実施形態（１）にて説明した錘を使用して復帰させる構成でもよい。
【０１７５】
（３）各実施形態における補助図柄表示体を、リールと同じような円筒形に形成することもできる。この場合、自重によって補助図柄表示部分を移動前の位置に復帰させるために、隠蔽部、補助図柄およびブランクなどの部分を他の部分よりも重く形成したり、錘を取付けたりする。また、前述のバネ６０を装着して移動前の位置に復帰させることもできる。また、補助図柄表示体を半円筒形、側面視扇形に形成してもよい。
【０１７６】
（４）各補助図柄表示体の回動中心となる回動中心部をリールの回転軸４３から外れた位置に回動可能に設ける構成でもよい。例えば、回転軸４３から外れた箇所に、補助図柄表示体用の回動軸を突出形成し、その回動軸を回動中心部に挿通する。
つまり、リールが回転を開始するときに、補助図柄表示体が自身の慣性力によってリールの回転方向と相対的に逆方向へ移動し、リールの停止時に移動前の位置に復帰できる構成であれば、どのような構成でもよい。
【０１７７】
（５）第１ないし第３実施形態では、補助図柄表示体をリール毎に１つのみ配置した構成を説明したが、第４実施形態のようにリール毎に複数の補助図柄表示体を配置することもできる。この構成を用いれば、リールの回転中に特定図柄Ｚ１が目立つ機会がより一層増加するため、より一層目押し操作のタイミングを採り易くなる。また、各実施形態において、補助図柄表示体毎の隠蔽部、窓、補助図柄およぶブランクの数を異ならせることもできる。
【０１７８】
（６）第１ないし第３実施形態および各変更例において補助図柄表示体を２個配置する場合に、第４実施形態における補助図柄表示体の取付構造を用いることもできる。この場合、補助図柄表示体毎に表示する隠蔽部、窓、補助図柄およびブランクの数を異ならせることもできる。
【０１７９】
（７）補助図柄表示体を３個以上配置することもできる。この構成を用いる場合、各補助図柄表示体と回動中心部とを接続する接続部は、補助図柄表示体の数に応じて増加すればよい。また、アーム状の接続部に代えて側面視扇状または円板状の接続部を用いてもよい。
【０１８０】
（８）補助図柄表示体を２重または３重以上重ねて配置することもできる。この場合、各補助図柄表示体は共通の回動中心部を備えており、接続部の長さが補助図柄表示体毎に異なる構成になる。
【０１８１】
（９）前述の各実施形態では、３個のリールを備えた回胴式遊技機を代表にして説明したが、４個以上のリールを備えた回胴式遊技機にも本発明を適用することができ、この場合も本発明の効果を奏することができる。
【０１８２】
（１０）前述の各実施形態において記載した各構成、機能および数値は、一例であり、他の構成、機能および数値に変更することができる。
【０１８３】
（１１）各リールに表示された図柄の種類、図柄の数および配列は、図３に示したものに限定されない。
【０１８４】
（１２）各実施形態では、メダルを媒体として遊技を行う回胴式遊技機について説明したが、パチンコ玉またはそれに類似する遊技球を媒体として遊技を行う回胴式遊技機にも本願発明を適用できることは勿論である。
【図面の簡単な説明】
【０１８５】
【図１】第１実施形態の回胴式遊技機の外観を示す斜視図である。
【図２】各リールの取付構造を示す説明図である。
【図３】右リールの主要構造を示す分解斜視図である。
【図４】右リールの左側面の一部を示す説明図であり、（ａ）は停止している右リールの説明図、（ｂ）は回転している右リールの説明図である。
【図５】右リールに配置された補助図柄表示体の移動前後の状態を示す部分説明図であり、（ａ）は移動前の補助図柄表示体の説明図、（ｂ）は移動後の補助図柄表示体の説明図である。
【図６】図６（ａ）は隠蔽部３０ｄの構成を示す説明図、（ｂ）はリプレイ図柄の構成を示す説明図、（ｃ）はベル図柄の構成を示す説明図である。
【図７】各リールの外周面に表示された図柄の説明図である。
【図８】各表示窓から見える図柄の表示態様を示す説明図であり、（ａ）は回転中の表示態様を示す説明図、（ｂ）は停止時の表示態様を示す説明図である。
【図９】第１実施形態の第２変更例の説明図であり、（ａ）は移動前の補助図柄表示体の説明図、（ｂ）は移動後の補助図柄表示体の説明図、（ｃ）は隠蔽部の部分拡大図である。
【図１０】各表示窓から見える図柄の表示態様を示す説明図であり、（ａ）は回転中の表示態様を示す説明図、（ｂ）は停止時の表示態様を示す説明図である。
【図１１】第２実施形態における右リールの主要構造を示す分解斜視図である。
【図１２】右リールの左側面の一部を示す説明図であり、（ａ）は停止している右リールの説明図、（ｂ）は回転している右リールの説明図である。
【図１３】右リールの窓に表示された補助図柄の変化を説明するための説明図であり、（ａ）は右リール停止時における補助図柄の説明図、（ｂ）は右リール回転時における補助図柄の説明図である。
【図１４】各リールと補助図柄表示体との位置関係を示す説明図である。
【図１５】各表示窓から見える図柄の表示態様を示す説明図であり、（ａ）は回転中の表示態様を示す説明図、（ｂ）は停止時の表示態様を示す説明図である。
【図１６】第２実施形態の第２変更例の説明図であり、（ａ）は移動前の補助図柄表示体の説明図、（ｂ）は移動後の補助図柄表示体の説明図である。
【図１７】各表示窓から見える図柄の表示態様を示す説明図であり、（ａ）は回転中の表示態様を示す説明図、（ｂ）は停止時の表示態様を示す説明図である。
【図１８】第３実施形態における右リールの主要構造を示す分解斜視図である。
【図１９】右リールの左側面の一部を示す説明図であり、（ａ）は停止している右リールの説明図、（ｂ）は回転している右リールの説明図である。
【図２０】右リールの窓に表示された補助図柄の変化を説明するための説明図であり、（ａ）は右リール停止時における補助図柄の説明図、（ｂ）は右リール回転時における補助図柄の説明図である。
【図２１】各リールと補助図柄表示体との位置関係を示す説明図である。
【図２２】各表示窓から見える図柄の表示態様を示す説明図であり、（ａ）は回転中の表示態様を示す説明図、（ｂ）は停止時の表示態様を示す説明図である。
【図２３】右リールの主要構造を示す分解斜視図である。
【図２４】右リールの左側面の一部を示す説明図であり、（ａ）は停止している右リールの説明図、（ｂ）は回転している右リールの説明図、（ｃ）は右リールの回転が停止したときの説明図である。
【図２５】右リールに配置された補助図柄表示体が振動している様子を示す説明図である。
【符号の説明】
【０１８６】
１０・・ 回胴式遊技機、１２・・左リール、１３・・中リール、１４・・右リール、
１２ａ・・左表示窓、１３ａ・・中表示窓、１４ａ・・右表示窓、
１２ｃ，１３ｃ，１４ｃ・・窓、
２５・・始動レバー（回転開始手段）、
３０，５０，８０，９０，１００・・補助図柄表示体、３０ａ・・窓部、
３０ｂ，５１・・打抜き部、３０ｃ，５２・・非打抜き部、３０ｄ・・隠蔽部、
３１・・接続部（支持手段）、３３・・回動中心部（支持手段）、
３３ａ・・挿通孔（支持手段）、３４・・突起部（規制手段）、
４２・・規制部（規制手段）、６０・・バネ、
７０・・ステッピングモータ（回転駆動手段）、
８５，９１・・ブランク（非図柄領域）、Ｚ１・・特定図柄、
Ｚ２，Ｚ３・・補助図柄、Ｚａ・・非欠落部、Ｚｂ・・欠落部。
【図１】
2007111303.tif 000003
【図２】
2007111303.tif 000004
【図３】
2007111303.tif 000005
【図４】
2007111303.tif 000006
【図５】
2007111303.tif 000007
【図６】
2007111303.tif 000008
【図７】
2007111303.tif 000009
【図８】
2007111303.tif 000010
【図９】
2007111303.tif 000011
【図１０】
2007111303.tif 000012
【図１１】
2007111303.tif 000013
【図１２】
2007111303.tif 000014
【図１３】
2007111303.tif 000015
【図１４】
2007111303.tif 000016
【図１５】
2007111303.tif 000017
【図１６】
2007111303.tif 000018
【図１７】
2007111303.tif 000019
【図１８】
2007111303.tif 000020
【図１９】
2007111303.tif 000021
【図２０】
2007111303.tif 000022
【図２１】
2007111303.tif 000023
【図２２】
2007111303.tif 000024
【図２３】
2007111303.tif 000025
【図２４】
2007111303.tif 000026
【図２５】
2007111303.tif 000027